(57)【要約】検知、モニター及び報告するための装置は、個人の生理学的パラメータを示すデータ及び／または個人のコンテキストパラメータを示すデータの発生を容易にする少なくとも２つのセンサーを有する。これらのセンサーに結合されるプロセッサは、生理学的データを示すデータの少なくとも一部から導出されるデータ及び生理学的パラメータを示すデータ、コンテキストパラメータを示すデータ、導出データ及び分析状態データのうち少なくとも１つの少なくとも一部から分析状態データを発生する。メモリーはそのデータを読み出し自在に記憶し、データを送信する種々の方法の１つが提供される。
2004538066.tif 000002
【特許請求の範囲】
【請求項１】
人間の生理学的情報及びコンテキスト情報のうち少なくとも１つを検知し、モニターし、報告する装置であって、
個人の１またはそれ以上の生理学的パラメータを示すデータの発生を容易にする生理学的センサーと、個人の１またはそれ以上のコンテキストパラメータを示すデータの発生を容易にするコンテキストセンサーとより成る群から選択される少なくとも２つのセンサーと、
センサーに結合され、(i)生理学的パラメータを示すデータの少なくとも一部及びコンテキストパラメータを示すデータの少なくとも一部のうちの少なくとも１つから導出されるデータ及び(ii)生理学的パラメータを示すデータ、コンテキストパラメータを示すデータ、導出データ及び分析状態データのうち少なくとも１つの少なくとも一部からの分析状態データのうち少なくとも１つを発生するように構成されたプロセッサと、
生理学的パラメータを示すデータ、コンテキストパラメータを示すデータ、導出データ及び分析状態データのうち少なくとも１つを読み出し自在に記憶するメモリーと、
生理学的パラメータを示すデータ、コンテキストパラメータを示すデータ、導出データ及び分析状態データのうち少なくとも１つをその個人に送信する手段とより成る、人間の生理学的情報及びコンテキスト情報のうち少なくとも１つを検知し、モニターし、報告する装置。
【請求項２】
個人が着用する無線装置、個人の人体内に植え込まれた無線装置及び個人の近くに位置する無線装置のうちの少なくとも１つとの間で情報を送受信する無線トランシーバーをさらに備えた請求項１の装置。
【請求項３】
無線トランシーバーが受信する情報は、個人の生理学的パラメータを示すデータ及びそのデータから導出されるデータのうち少なくとも１つより成る請求項２の装置。
【請求項４】
個人が着用する無線装置、個人の人体内に植え込まれた無線装置及び個人の近くに位置する無線装置のうちの少なくとも１つとの間で情報を送受信する手段をさらに備えた請求項１の装置。
【請求項５】
個人が着用する無線装置、個人の人体内に植え込まれた無線装置及び個人の近くに位置する無線装置のうちの少なくとも１つとの間で情報を送受信する無線通信手段をさらに備えた請求項１の装置。
【請求項６】
送信手段はさらにプロセッサに結合されたコンピュータ装置を有する請求項１の装置。
【請求項７】
コンピュータ装置は物理的接続によりプロセッサに結合されている請求項６の装置。
【請求項８】
コンピュータ装置は無線接続によりプロセッサに結合されている請求項６の装置。
【請求項９】
情報を手動で入力する手段をさらに備えた請求項１の装置。
【請求項１０】
手動入力される情報はメモリーに記憶される請求項９の装置。
【請求項１１】
分析状態データは手動入力される情報の少なくとも一部から発生される請求項９の装置。
【請求項１２】
情報を手動で入力する手動入力装置をさらに備えた請求項１の装置。
【請求項１３】
手動入力情報はメモリーに記憶される請求項１２の装置。
【請求項１４】
分析状態データは手動入力情報の少なくとも一部から発生される請求項１２の装置。
【請求項１５】
送信手段は視覚出力装置を有する請求項１の装置。
【請求項１６】
送信手段は聴覚出力装置を有する請求項１の装置。
【請求項１７】
送信手段は触覚出力装置を有する請求項１の装置。
【請求項１８】
送信手段はプロセッサに結合されたコンピュータ装置を有し、プロセッサは個人の１またはそれ以上の生理学的状態が検知されるとコンピュータ装置により事象を始動させるように構成されている請求項１の装置。
【請求項１９】
プロセッサは、個人の１またはそれ以上の生理学的状態が検知されるとコンピュータ装置により事象を始動させるように構成されている請求項１の装置。
【請求項２０】
画定された空間内における装置の場所をコンピュータ装置に指示するための位置感知装置をさらに備えた請求項１の装置。
【請求項２１】
位置の指示によりコンピュータ装置が事象を始動させる請求項２０の装置。
【請求項２２】
事象は装置により検知される個人の１またはそれ以上の生理学的状態に基づくものである請求項２１の装置。
【請求項２３】
位置の指示により、装置が個人の１またはそれ以上の生理学的状態を検知するとコンピュータ装置により事象を始動させる請求項２０の装置。
【請求項２４】
個人が所定のルーチンに従った程度をモニターし、分析状態データは個人が所定のルーチンに従った程度に関するその個人へのフィードバック情報を含んでおり、そのフィードバック情報は、個人の１またはそれ以上の生理学的パラメータを示すデータ、導出データ及び手動入力データのうち少なくとも１つの少なくとも一部から発生される請求項９の装置。
【請求項２５】
個人が所定のルーチンに従った程度をモニターし、分析状態データは個人が所定のルーチンに従った程度に関するその個人へのフィードバック情報を含んでおり、そのフィードバック情報は、個人の１またはそれ以上の生理学的パラメータを示すデータ、導出データ及び手動入力データのうち少なくとも１つの少なくとも一部から発生される請求項１２の装置。
【請求項２６】
ルーチンは複数のカテゴリーより成り、フィードバック情報は各カテゴリーに関して発生され提供される請求項２４の装置。
【請求項２７】
ルーチンは複数のカテゴリーより成り、フィードバック情報は各カテゴリーに関して発生され提供される請求項２５の装置。
【請求項２８】
カテゴリーは栄養、活動レベル、精神集中、睡眠及び日常活動のうち２またはそれ以上を含む請求項２６の装置。
【請求項２９】
カテゴリーは栄養、活動レベル、精神集中、睡眠及び日常活動のうち２またはそれ以上を含む請求項２７の装置。
【請求項３０】
フィードバック情報の少なくとも一部はグラフィック形式及びテキスト形式のうちの少なくとも１つである請求項２８の装置。
【請求項３１】
フィードバック情報の少なくとも一部はグラフィック形式及びテキスト形式のうちの少なくとも１つの形式である請求項２９の装置。
【請求項３２】
生理学的センサーは個人の生理学的特性に応答して第１の信号を発生するように、また、コンテキストセンサーは個人のコンテキスト特性に応答して第２の信号を発生するようになっており、第１の信号のうちの１番目の信号またはそれ以上の信号は個人の生理学的パラメータを示すデータを構成し、第２の信号は個人のコンテキストパラメータを示すデータを構成し、プロセッサは第１の信号のうちの２番目の信号またはそれ以上の信号から個人の生理学的パラメータを示すデータを発生するようになっている請求項１の装置。
【請求項３３】
人間の生理学的情報及びコンテキスト情報のうち少なくとも１つを検知し、モニターし、報告する装置であって、
センサー装置と、
コンピュータ装置とより成り、
センサー装置は、
個人の１またはそれ以上の生理学的パラメータを示すデータの発生を容易にする生理学的センサーと、個人の１またはそれ以上のコンテキストパラメータを示すデータの発生を容易にするコンテキストセンサーとより成る群から選択される少なくとも２つのセンサーと、
生理学的パラメータを示すデータ及びコンテキストパラメータを示すデータのうち少なくとも１つを読み出し自在に記憶するメモリーとより成り、
コンピュータ装置は、センサーに結合され、(i)生理学的パラメータを示すデータの少なくとも一部及びコンテキストパラメータを示すデータの少なくとも一部のうちの少なくとも１つから導出されるデータ及び(ii)生理学的パラメータを示すデータ、コンテキストパラメータを示すデータ、導出データ及び分析状態データのうち少なくとも１つの少なくとも一部からの分析状態データのうち少なくとも１つを発生するようになっている、人間の生理学的情報及びコンテキスト情報のうち少なくとも１つを検知し、モニターし、報告する装置。
【請求項３４】
センサー装置は、個人が着用する無線装置、個人の人体内に植え込まれた無線装置及び個人の近くに位置する無線装置のうちの少なくとも１つとの間で情報を送受信する無線トランシーバーをさらに備えた請求項３３の装置。
【請求項３５】
無線トランシーバーが受信する情報は、個人の生理学的パラメータを示すデータ及びそのデータから導出されるデータのうち少なくとも１つより成る請求項３４の装置。
【請求項３６】
センサー装置は、個人が着用する無線装置、個人の人体内に植え込まれた無線装置及び個人の近くに位置する無線装置のうちの少なくとも１つとの間で情報を送受信する手段をさらに備えた請求項３３の装置。
【請求項３７】
個人が着用する無線装置、個人の人体内に植え込まれた無線装置及び個人の近くに位置する無線装置のうちの少なくとも１つとの間で情報を送受信する無線通信手段をさらに備えた請求項３３の装置。
【請求項３８】
センサー装置は、生理学的パラメータを示すデータ、コンテキストパラメータを示すデータ、導出データ及び分析状態データのうち少なくとも１つを個人に送信する無線通信手段をさらに備えた請求項３３の装置。
【請求項３９】
送信手段は視覚出力装置を有する請求項３８の装置。
【請求項４０】
送信手段は聴覚出力装置を有する請求項３８の装置。
【請求項４１】
送信手段は触覚出力装置を有する請求項３８の装置。
【請求項４２】
コンピュータ装置は、生理学的パラメータを示すデータ、コンテキストパラメータを示すデータ、導出データ及び分析状態データのうち少なくとも１つを個人に出力するようになっている請求項３３の装置。
【請求項４３】
コンピュータ装置は物理的接続によりセンサー装置に結合されている請求項３３の装置。
【請求項４４】
コンピュータ装置は無線接続によりセンサー装置に結合されている請求項３３の装置。
【請求項４５】
情報を手動で入力する手段をさらに備えた請求項３３の装置。
【請求項４６】
手動入力される情報はメモリーに記憶される請求項３３の装置。
【請求項４７】
分析状態データは手動入力される情報の少なくとも一部から発生される請求項４５の装置。
【請求項４８】
情報を手動で入力する手動入力装置をさらに備えた請求項３３の装置。
【請求項４９】
手動入力情報はメモリーに記憶される請求項４８の装置。
【請求項５０】
分析状態データは手動入力情報の少なくとも一部から発生される請求項４８の装置。
【請求項５１】
個人の１またはそれ以上の生理学的状態が検知されるとコンピュータ装置により事象を始動させるように構成されている請求項３３の装置。
【請求項５２】
画定された空間内における装置の場所を第２のコンピュータ装置に指示するための位置感知装置をさらに備えた請求項３３の装置。
【請求項５３】
位置の指示により第２のコンピュータ装置が事象を始動させる請求項５２の装置。
【請求項５４】
事象は装置により検知される個人の１またはそれ以上の生理学的状態に基づくものである請求項５３の装置。
【請求項５５】
位置の指示により、装置が個人の１またはそれ以上の生理学的状態を検知すると第２のコンピュータ装置により事象を始動させる請求項５２の装置。
【請求項５６】
個人が所定のルーチンに従った程度をモニターし、分析状態データは個人が所定のルーチンに従った程度に関するその個人へのフィードバック情報を含んでおり、そのフィードバック情報は、個人の１またはそれ以上の生理学的パラメータを示すデータ、導出データ及び手動入力データのうち少なくとも１つの少なくとも一部から発生される請求項４５の装置。
【請求項５７】
個人が所定のルーチンに従った程度をモニターし、分析状態データは個人が所定のルーチンに従った程度に関するその個人へのフィードバック情報を含んでおり、そのフィードバック情報は、個人の１またはそれ以上の生理学的パラメータを示すデータ、導出データ及び手動入力データのうち少なくとも１つの少なくとも一部から発生される請求項４８の装置。
【請求項５８】
ルーチンは複数のカテゴリーより成り、フィードバック情報は各カテゴリーに関して発生され提供される請求項５６の装置。
【請求項５９】
ルーチンは複数のカテゴリーより成り、フィードバック情報は各カテゴリーに関して発生され提供される請求項５７の装置。
【請求項６０】
カテゴリーは栄養、活動レベル、精神集中、睡眠及び日常活動のうち２またはそれ以上を含む請求項５８の装置。
【請求項６１】
カテゴリーは栄養、活動レベル、精神集中、睡眠及び日常活動のうち２またはそれ以上を含む請求項５９の装置。
【請求項６２】
フィードバック情報の少なくとも一部はグラフィック形式及びテキスト形式のうちの少なくとも１つである請求項６０の装置。
【請求項６３】
フィードバック情報の少なくとも一部はグラフィック形式及びテキスト形式のうちの少なくとも１つの形式である請求項６１の装置。
【請求項６４】
生理学的センサーは個人の生理学的特性に応答して第１の信号を発生するように、また、コンテキストセンサーは個人のコンテキスト特性に応答して第２の信号を発生するようになっており、第１の信号のうちの１番目の信号またはそれ以上の信号は個人の生理学的パラメータを示すデータを構成し、第２の信号は個人のコンテキストパラメータを示すデータを構成し、プロセッサは第１の信号のうちの２番目の信号またはそれ以上の信号から個人の生理学的パラメータを示すデータを発生するようになっている請求項３３の装置。
【請求項６５】
人間の生理学的情報及びコンテキスト情報のうち少なくとも１つを検知し、モニターし、報告する装置であって、
センサー装置と、
コンピュータ装置とより成り、
センサー装置は、
個人の１またはそれ以上の生理学的パラメータを示すデータの発生を容易にする生理学的センサーと、個人の１またはそれ以上のコンテキストパラメータを示すデータの発生を容易にするコンテキストセンサーとより成る群から選択される少なくとも２つのセンサーと、
生理学的パラメータを示すデータの少なくとも一部及びコンテキストパラメータを示すデータの少なくとも一部のうちの少なくとも１つからデータを導出するようになっているプロセッサと、
生理学的パラメータを示すデータ、コンテキストパラメータを示すデータ及び導出データのうち少なくとも１つを読み出し自在に記憶するメモリーとより成り、
コンピュータ装置は、センサーに結合され、生理学的パラメータを示すデータ、コンテキストパラメータを示すデータ及び導出データの少なくとも１つの少なくとも一部から分析状態データを発生するようになっている、人間の生理学的情報及びコンテキスト情報のうち少なくとも１つを検知し、モニターし、報告する装置。
【請求項６６】
センサー装置は、個人が着用する無線装置、個人の人体内に植え込まれた無線装置及び個人の近くに位置する無線装置のうちの少なくとも１つとの間で情報を送受信する無線トランシーバーをさらに備えた請求項６５の装置。
【請求項６７】
無線トランシーバーが受信する情報は、個人の生理学的パラメータを示すデータ及びそのデータから導出されるデータのうち少なくとも１つより成る請求項６６の装置。
【請求項６８】
センサー装置は、個人が着用する無線装置、個人の人体内に植え込まれた無線装置及び個人の近くに位置する無線装置のうちの少なくとも１つとの間で情報を送受信する手段をさらに備えた請求項６５の装置。
【請求項６９】
個人が着用する無線装置、個人の人体内に植え込まれた無線装置及び個人の近くに位置する無線装置のうちの少なくとも１つとの間で情報を送受信する無線通信手段をさらに備えた請求項６５の装置。
【請求項７０】
センサー装置は、生理学的パラメータを示すデータ、コンテキストパラメータを示すデータ、導出データ及び分析状態データのうち少なくとも１つを個人に送信する手段をさらに備えた請求項６５の装置。
【請求項７１】
送信手段は視覚出力装置を有する請求項７０の装置。
【請求項７２】
送信手段は聴覚出力装置を有する請求項７０の装置。
【請求項７３】
送信手段は触覚出力装置を有する請求項７０の装置。
【請求項７４】
コンピュータ装置は、生理学的パラメータを示すデータ、コンテキストパラメータを示すデータ、導出データ及び分析状態データのうち少なくとも１つを個人に出力するようになっている請求項６５の装置。
【請求項７５】
コンピュータ装置は物理的接続によりセンサー装置に結合されている請求項６５の装置。
【請求項７６】
コンピュータ装置は無線接続によりセンサー装置に結合されている請求項６５の装置。
【請求項７７】
情報を手動で入力する手段をさらに備えた請求項６５の装置。
【請求項７８】
手動入力される情報はメモリーに記憶される請求項７７の装置。
【請求項７９】
分析状態データは手動入力される情報の少なくとも一部から発生される請求項７７の装置。
【請求項８０】
情報を手動で入力する手動入力装置をさらに備えた請求項６５の装置。
【請求項８１】
手動入力情報はメモリーに記憶される請求項８０の装置。
【請求項８２】
分析状態データは手動入力情報の少なくとも一部から発生される請求項８０の装置。
【請求項８３】
プロセッサは、個人の１またはそれ以上の生理学的状態が検知されるとコンピュータ装置により事象を始動させるように構成されている請求項６５の装置。
【請求項８４】
画定された空間内における装置の場所を第２のコンピュータ装置に指示するための位置感知装置をさらに備えた請求項６５の装置。
【請求項８５】
位置の指示により第２のコンピュータ装置が事象を始動させる請求項８４の装置。
【請求項８６】
事象は装置により検知される個人の１またはそれ以上の生理学的状態に基づくものである請求項８５の装置。
【請求項８７】
位置の指示により、装置が個人の１またはそれ以上の生理学的状態を検知すると第２のコンピュータ装置により事象を始動させる請求項８４の装置。
【請求項８８】
個人が所定のルーチンに従った程度をモニターし、分析状態データは個人が所定のルーチンに従った程度に関するその個人へのフィードバック情報を含んでおり、そのフィードバック情報は、個人の１またはそれ以上の生理学的パラメータを示すデータ、導出データ及び手動入力データのうち少なくとも１つの少なくとも一部から発生される請求項７７の装置。
【請求項８９】
個人が所定のルーチンに従った程度をモニターし、分析状態データは個人が所定のルーチンに従った程度に関するその個人へのフィードバック情報を含んでおり、そのフィードバック情報は、個人の１またはそれ以上の生理学的パラメータを示すデータ、導出データ及び手動入力データのうち少なくとも１つの少なくとも一部から発生される請求項８０の装置。
【請求項９０】
ルーチンは複数のカテゴリーより成り、フィードバック情報は各カテゴリーに関して発生され提供される請求項８８の装置。
【請求項９１】
ルーチンは複数のカテゴリーより成り、フィードバック情報は各カテゴリーに関して発生され提供される請求項８９の装置。
【請求項９２】
カテゴリーは栄養、活動レベル、精神集中、睡眠及び日常活動のうち２またはそれ以上を含む請求項９０の装置。
【請求項９３】
カテゴリーは栄養、活動レベル、精神集中、睡眠及び日常活動のうち２またはそれ以上を含む請求項９１の装置。
【請求項９４】
フィードバック情報の少なくとも一部はグラフィック形式及びテキスト形式のうちの少なくとも１つである請求項９２の装置。
【請求項９５】
フィードバック情報の少なくとも一部はグラフィック形式及びテキスト形式のうちの少なくとも１つの形式である請求項９３の装置。
【請求項９６】
生理学的センサーは個人の生理学的特性に応答して第１の信号を発生するように、また、コンテキストセンサーは個人のコンテキスト特性に応答して第２の信号を発生するようになっており、第１の信号のうちの１番目の信号またはそれ以上の信号は個人の生理学的パラメータを示すデータを構成し、第２の信号は個人のコンテキストパラメータを示すデータを構成し、プロセッサは第１の信号のうちの２番目の信号またはそれ以上の信号から個人の生理学的パラメータを示すデータを発生するようになっている請求項６５の装置。
【請求項９７】
人間の生理学的情報及びコンテキスト情報のうち少なくとも１つを検知し、モニターし、報告する装置であって、
センサー装置と、
コンピュータ装置とより成り、
センサー装置は、
個人の１またはそれ以上の生理学的パラメータを示すデータの発生を容易にする生理学的センサーと、個人の１またはそれ以上のコンテキストパラメータを示すデータの発生を容易にするコンテキストセンサーとより成る群から選択される少なくとも２つのセンサーと、
センサーに結合され、生理学的パラメータを示すデータ、コンテキストパラメータを示すデータ、生理学的パラメータを示すデータの少なくとも一部及びコンテキストパラメータを示すデータの少なくとも一部から導出されるデータ及び分析状態データのうち少なくとも１つの少なくとも一部から分析状態データを発生するようになっているプロセッサと、
生理学的パラメータを示すデータ、コンテキストパラメータを示すデータ及び導出データのうち少なくとも１つを読み出し自在に記憶するメモリーとより成り、
コンピュータ装置は、センサーに結合され、導出データを発生するようになっている、人間の生理学的情報及びコンテキスト情報のうち少なくとも１つを検知し、モニターし、報告する装置。
【請求項９８】
センサー装置は、個人が着用する無線装置、個人の人体内に植え込まれた無線装置及び個人の近くに位置する無線装置のうちの少なくとも１つとの間で情報を送受信する無線トランシーバーをさらに備えた請求項９７の装置。
【請求項９９】
無線トランシーバーが受信する情報は、個人の生理学的パラメータを示すデータ及びそのデータから導出されるデータのうち少なくとも１つより成る請求項９８の装置。
【請求項１００】
センサー装置は、個人が着用する無線装置、個人の人体内に植え込まれた無線装置及び個人の近くに位置する無線装置のうちの少なくとも１つとの間で情報を送受信する手段をさらに備えた請求項９７の装置。
【請求項１０１】
個人が着用する無線装置、個人の人体内に植え込まれた無線装置及び個人の近くに位置する無線装置のうちの少なくとも１つとの間で情報を送受信する無線通信手段をさらに備えた請求項９７の装置。
【請求項１０２】
センサー装置は、生理学的パラメータを示すデータ、コンテキストパラメータを示すデータ、導出データ及び分析状態データのうち少なくとも１つを個人に送信する手段をさらに備えた請求項９７の装置。
【請求項１０３】
送信手段は視覚出力装置を有する請求項１０２の装置。
【請求項１０４】
送信手段は聴覚出力装置を有する請求項１０２の装置。
【請求項１０５】
送信手段は触覚出力装置を有する請求項１０２の装置。
【請求項１０６】
コンピュータ装置は、生理学的パラメータを示すデータ、コンテキストパラメータを示すデータ、導出データ及び分析状態データのうち少なくとも１つを個人に出力するようになっている請求項９７の装置。
【請求項１０７】
コンピュータ装置は物理的接続によりセンサー装置に結合されている請求項９７の装置。
【請求項１０８】
コンピュータ装置は無線接続によりセンサー装置に結合されている請求項９７の装置。
【請求項１０９】
情報を手動で入力する手段をさらに備えた請求項９７の装置。
【請求項１１０】
手動入力される情報はメモリーに記憶される請求項１０９の装置。
【請求項１１１】
分析状態データは手動入力される情報の少なくとも一部から発生される請求項１０９の装置。
【請求項１１２】
情報を手動で入力する手動入力装置をさらに備えた請求項１０９の装置。
【請求項１１３】
手動入力情報はメモリーに記憶される請求項１１２の装置。
【請求項１１４】
分析状態データは手動入力情報の少なくとも一部から発生される請求項１１２の装置。
【請求項１１５】
プロセッサは、個人の１またはそれ以上の生理学的状態が検知されるとコンピュータ装置により事象を始動させるように構成されている請求項９７の装置。
【請求項１１６】
画定された空間内における装置の場所を第２のコンピュータ装置に指示するための位置感知装置をさらに備えた請求項９７の装置。
【請求項１１７】
位置の指示により第２のコンピュータ装置が事象を始動させる請求項１１６の装置。
【請求項１１８】
事象は装置により検知される個人の１またはそれ以上の生理学的状態に基づくものである請求項１１７の装置。
【請求項１１９】
位置の指示により、装置が個人の１またはそれ以上の生理学的状態を検知すると第２のコンピュータ装置により事象を始動させる請求項１１７の装置。
【請求項１２０】
個人が所定のルーチンに従った程度をモニターし、分析状態データは個人が所定のルーチンに従った程度に関するその個人へのフィードバック情報を含んでおり、そのフィードバック情報は、個人の１またはそれ以上の生理学的パラメータを示すデータ、導出データ及び手動入力データのうち少なくとも１つの少なくとも一部から発生される請求項１０９の装置。
【請求項１２１】
個人が所定のルーチンに従った程度をモニターし、分析状態データは個人が所定のルーチンに従った程度に関するその個人へのフィードバック情報を含んでおり、そのフィードバック情報は、個人の１またはそれ以上の生理学的パラメータを示すデータ、導出データ及び手動入力データのうち少なくとも１つの少なくとも一部から発生される請求項１１２の装置。
【請求項１２２】
ルーチンは複数のカテゴリーより成り、フィードバック情報は各カテゴリーに関して発生され提供される請求項１２０の装置。
【請求項１２３】
ルーチンは複数のカテゴリーより成り、フィードバック情報は各カテゴリーに関して発生され提供される請求項１２１の装置。
【請求項１２４】
カテゴリーは栄養、活動レベル、精神集中、睡眠及び日常活動のうち２またはそれ以上を含む請求項１２２の装置。
【請求項１２５】
カテゴリーは栄養、活動レベル、精神集中、睡眠及び日常活動のうち２またはそれ以上を含む請求項１２３の装置。
【請求項１２６】
フィードバック情報の少なくとも一部はグラフィック形式及びテキスト形式のうちの少なくとも１つである請求項１２４の装置。
【請求項１２７】
フィードバック情報の少なくとも一部はグラフィック形式及びテキスト形式のうちの少なくとも１つの形式である請求項１２５の装置。
【請求項１２８】
生理学的センサーは個人の生理学的特性に応答して第１の信号を発生するように、また、コンテキストセンサーは個人のコンテキスト特性に応答して第２の信号を発生するようになっており、第１の信号のうちの１番目の信号またはそれ以上の信号は個人の生理学的パラメータを示すデータを構成し、第２の信号は個人のコンテキストパラメータを示すデータを構成し、プロセッサは第１の信号のうちの２番目の信号またはそれ以上の信号から個人の生理学的パラメータを示すデータを発生するようになっている請求項９７の装置。
【請求項１２９】
装置の地理的位置をコンピュータ装置に指示するための位置感知装置をさらに備えた請求項１の装置。
【請求項１３０】
位置の指示によりコンピュータ装置が事象を始動させる請求項１２９の装置。
【請求項１３１】
装置の地理的位置をコンピュータ装置に指示するための位置感知装置をさらに備えた請求項３３の装置。
【請求項１３２】
位置の指示によりコンピュータ装置が事象を始動させる請求項１３１の装置。
【請求項１３３】
装置の地理的位置をコンピュータ装置に指示するための位置感知装置をさらに備えた請求項６５の装置。
【請求項１３４】
位置の指示によりコンピュータ装置が事象を始動させる請求項１３３の装置。
【請求項１３５】
装置の地理的位置をコンピュータ装置に指示するための位置感知装置をさらに備えた請求項９７の装置。
【請求項１３６】
位置の指示によりコンピュータ装置が事象を始動させる請求項１３５の装置。
【請求項１３７】
個人が着用する無線装置、個人の人体内に植え込まれた無線装置及び個人の近くに位置する無線装置のうちの少なくとも１つに情報を送信する無線通信手段をさらに備えた請求項１の装置。
【請求項１３８】
個人が着用する無線装置、個人の人体内に植え込まれた無線装置及び個人の近くに位置する無線装置のうちの少なくとも１つに情報を送信する無線通信手段をさらに備えた請求項３３の装置。
【請求項１３９】
個人が着用する無線装置、個人の人体内に植え込まれた無線装置及び個人の近くに位置する無線装置のうちの少なくとも１つに情報を送信する無線通信手段をさらに備えた請求項６５の装置。
【請求項１４０】
個人が着用する無線装置、個人の人体内に植え込まれた無線装置及び個人の近くに位置する無線装置のうちの少なくとも１つに情報を送信する無線通信手段をさらに備えた請求項９７の装置。
【請求項１４１】
第２のコンピュータ装置から情報を受信し、受信する情報に基づき第３のコンピュータ装置により事象を始動させるようになっている請求項１の装置。
【請求項１４２】
第２のコンピュータ装置から情報を受信し、受信する情報に基づき第３のコンピュータ装置により事象を始動させるようになっている請求項３３の装置。
【請求項１４３】
第２のコンピュータ装置から情報を受信し、受信する情報に基づき第３のコンピュータ装置により事象を始動させるようになっている請求項６５の装置。
【請求項１４４】
第２のコンピュータ装置から情報を受信し、受信する情報に基づき第３のコンピュータ装置により事象を始動させるようになっている請求項９７の装置。
【請求項１４５】
生理学的パラメータを示すデータ、導出データ及び分析状態データのうち少なくとも１つを電子メディア装置へ送信する無線通信手段をさらに備え、電子メディア装置は電子メディアを含み、送信される生理学的パラメータを示すデータ、導出データ及び分析状態データのうちの少なくとも１つは電子メディアの１またはそれ以上の特性を調整するために使用される請求項１の装置。
【請求項１４６】
生理学的パラメータを示すデータ、導出データ及び分析状態データのうち少なくとも１つを電子メディア装置へ送信する無線通信手段をさらに備え、電子メディア装置は電子メディアを含み、送信される生理学的パラメータを示すデータ、導出データ及び分析状態データのうちの少なくとも１つは電子メディアの１またはそれ以上の特性を調整するために使用される請求項３３の装置。
【請求項１４７】
生理学的パラメータを示すデータ、導出データ及び分析状態データのうち少なくとも１つを電子メディア装置へ送信する無線通信手段をさらに備え、電子メディア装置は電子メディアを含み、送信される生理学的パラメータを示すデータ、導出データ及び分析状態データのうちの少なくとも１つは電子メディアの１またはそれ以上の特性を調整するために使用される請求項６５の装置。
【請求項１４８】
生理学的パラメータを示すデータ、導出データ及び分析状態データのうち少なくとも１つを電子メディア装置へ送信する無線通信手段をさらに備え、電子メディア装置は電子メディアを含み、送信される生理学的パラメータを示すデータ、導出データ及び分析状態データのうちの少なくとも１つは電子メディアの１またはそれ以上の特性を調整するために使用される請求項９７の装置。
【請求項１４９】
人間の生理学的情報及びコンテキスト情報のうち少なくとも１つを検知し、モニターし、報告する装置であって、
個人の１またはそれ以上の生理学的パラメータを示すデータの発生を容易にする生理学的センサーと、個人の１またはそれ以上のコンテキストパラメータを示すデータの発生を容易にするコンテキストセンサーとより成る群から選択される少なくとも２つのセンサーと、
装置に食餌情報を入力する手段と、
食餌情報を栄養情報へ変換するための変換情報を記憶するメモリーと、
生理学的パラメータを示すデータの少なくとも一部から導出データの少なくとも１つを発生し、生理学的パラメータを示すデータ、コンテキストパラメータを示すデータ、導出データ、栄養情報及び分析状態データのうち少なくとも１つの少なくとも一部から分析状態データを発生するようになっているプロセッサと、
生理学的パラメータを示すデータ、コンテキストパラメータを示すデータ、導出データ及び分析状態データのうち少なくとも１つを個人に送信する手段とより成る、人間の生理学的情報及びコンテキスト情報のうち少なくとも１つを検知し、モニターし、報告する装置。
【請求項１５０】
個人が１またはそれ以上の栄養目標に到達した程度をモニターし、分析状態データは個人が１またはそれ以上の栄養目標に到達した程度に関するその個人へのフィードバック情報を含んでおり、そのフィードバック情報は、栄養情報の少なくとも一部から発生される請求項９７の装置。
【請求項１５１】
フィードバック情報の少なくとも一部はグラフィック形式である請求項９８の装置。
【発明の詳細な説明】
【技術分野】
【０００１】
本発明は、健康及び壮健状態をモニターするシステムに関し、さらに詳細には、個人の生理学的状態、ライフスタイル及び種々のコンテキストパラメータに関するデータをセンサー装置により収集して遠隔場所に蓄積し、かかるデータ及びそれに基づく分析情報を好ましくは電子ネットワークを介して個人が利用できる状態にするシステムに関する。さらに、本発明は、健康及び壮健状態をモニターする装置に関し、さらに詳細には、個人の生理学的状態及び種々のコンテキストパラメータに関するデータを収集し蓄積して、かかるデータ及びそれに基づく分析情報を個人が利用できる状態にする装置に関する。
【背景技術】
【０００２】
社会における健康問題の多くは、全面的または部分的に不健康なライフスタイルにその原因があることが研究により分かっている。この社会では、人は、ますます早いペースで結果指向のライフスタイルを送ることを余儀なくされるが、その結果、食事の習慣が不健康で、ストレスレベルが高く、運動不足となり、睡眠の習慣が不健康で、精神集中しリラックスする時間を見つけるのが不可能となることが多い。このことを自覚して、人間は、より健康なライフスタイルの確立にますます関心を寄せるようになっている。
【０００３】
ＨＭＯ（健康維持組織）または同様な組織の形態で実現される伝統的医学は、より健康なライフスタイルに関心のある人々のニーズに応えるための時間またはトレーニング若しくは機構を用意していない。フィットネスプログラム及び運動器具、ダイエットプラン、自助努力の本、代替療法の流行、最も最近ではインターネット上の健康情報ウェブサイトの盛況を含む、これらの人々のニーズを満たすいくつかの試みがある。これらの試みはそれぞれ、個人が自律的に健康になるように努力するのを目標としている。しかしながら、これらの試みは、健康なライフスタイルを求める人々のニーズのほんの一部に照準を定めており、大部分の人がより健康なライフスタイルを確立しようとして直面する現実の障害の多くを無視している。これらの障害には、各個人がモチベーションを発見し、より健康なライフスタイルを達成する計画を立て、進捗状況をモニターし、問題が生じた場合、ブレインストーミングにより解決法を発見しようとすれば、通常は、彼または彼女自身が独力で行う以外に方法がないという事実；現存のプログラムは、より健康なライフスタイルのある特定の局面だけに限られており、完全なパッケージとして提供されることはまれであるという事実；また、推奨される案が個人の特異な特性または彼の生活環境に焦点を合わせていないことが多いという事実が含まれる。
【発明の概要】
【０００４】
人間の生理学的情報を検知し、モニターし、報告するシステムを開示する。このシステムは、人体の少なくとも一部に近接配置されると、１またはそれ以上の生理学的パラメータを示すデータ及び１またはそれ以上の生理学的パラメータを示すデータの少なくとも一部から導出したデータのうち少なくとも１つの発生するセンサー装置を備えている。このシステムはまた、センサー装置から遠隔の場所に位置する中央モニターユニットを有する。中央モニターユニットは、１またはそれ以上の生理学的パラメータを示すデータ、導出データ及び以前に発生された分析状態データのうちの少なくとも１つから分析状態データを発生する。中央モニターユニットはまた、受信するデータ及び発生するデータを読み出し自在に記憶するデータ記憶装置を有する。このシステムはまた、センサー装置と中央モニターユニットとの間の電子通信関係を確立する手段を有する。実施例には、コンピュータに結合された長距離無線送信装置または物理的な、もしくは短距離無線装置の種々の公知のタイプを含むものがあり、コンピュータは中央モニターユニットとインターネットのような電子ネットワークを介して電子通信関係を確立する。このシステムにはまた、１またはそれ以上の生理学的パラメータを示すデータ、導出データ及び／または分析状態データを個人またはその個人から権限を付与された第三者のような受け手に送信する手段を含む。
【０００５】
人間の生理学的情報を検知し、モニターし、報告する方法を開示する。この方法は、人体の少なくとも一部に近接配置されるセンサー装置により、個人の１またはそれ以上の生理学的パラメータを示すデータ及び１またはそれ以上の生理学的パラメータを示すデータの少なくとも一部から導出したデータのうち少なくとも１つの発生するステップを含む。このシステムはまた、センサー装置から遠隔の場所に位置する中央モニターユニットを有する。１またはそれ以上の生理学的パラメータを示すデータ及び導出データのうち少なくとも１つは、センサー装置から遠隔の中央モニターユニットへ送られ、データ記憶装置に読み出し自在に記憶される。１またはそれ以上の生理学的パラメータを示すデータ、導出データ及び分析状態データのうちの少なくとも１つから分析状態データを発生され、１またはそれ以上の生理学的パラメータを示すデータ、導出データ及び分析状態データのうちの少なくとも１つは受け手に送られる。
【０００６】
センサー装置は、個人の生理学的特性に応答して信号を発生する１またはそれ以上のセンサーより成る。このセンサー装置は、１またはそれ以上のセンサーが発生する信号から１またはそれ以上の生理学的パラメータを示すデータを発生するように構成されたプロセッサを備えることができる。このプロセッサは、導出データを発生するようになっている場合もある。導出データは中央モニターユニットで発生される場合もある。
【０００７】
中央モニターユニットは、１またはそれ以上の生理学的パラメータを示すデータ、導出データ及び／または分析状態データを含む１またはそれ以上のウェブページを発生するように構成されている。中央モニターユニットが発生するウェブページは、インターネットのような電子的のネットワークを介して受け手によるアクセスが可能である。あるいは、１またはそれ以上の生理学的パラメータを示すデータ、導出データ及び分析状態データは、メールまたはファクシミリのような物理的形態で受け手に送ることができる。
【０００８】
このシステム及び方法はまた、個人の生活活動データを得て、分析状態データを発生する時に使用する。さらに、センサー装置は、個人の１またはそれ以上のコンテキストパラメータを示すデータを発生するように構成されている。このため、システム及び方法は、分析状態データを発生する時に１またはそれ以上のコンテキストパラメータを示すデータを使用する。
【０００９】
個人が所定のルーチンに従った程度をモニターするシステムを開示する。このシステムは、人体の少なくとも一部に近接配置されると個人の１またはそれ以上の生理学的パラメータを示すデータ及びその１またはそれ以上の生理学的パラメータを示すデータの少なくとも一部から導出されるデータのうち少なくとも１つを発生するように構成されたセンサー装置を有する。このシステムはまた、センサー装置と中央モニターユニットとの間で電子通信関係を確立する手段を有する。このシステムには、活動、電気皮膚反応及び熱流の少なくとも１つを示すデータ、導出データ及び／または分析状態データを個人やその個人から権限を付与された第三者のような受け手に送信する手段も含まれる。
【００１０】
個人が所定のルーチンに従った程度をモニターする方法も開示される。この方法は、中央モニターユニットにおいて、個人の１またはそれ以上の生理学的パラメータを示すデータ及びその１またはそれ以上の生理学的パラメータを示すデータの少なくとも一部から導出されるデータのうち少なくとも１つを受信するステップを含むが、１またはそれ以上の生理学的パラメータを示すデータ及び導出データは人体の少なくとも一部に近接配置されるセンサー装置により発生される。中央モニターユニットでは、個人の生活活動データも受信される。この方法はさらに、個人が所定のルーチンに従った程度に関するフィードバック情報を発生するステップを含むが、このフィードバック情報は個人の１またはそれ以上の生理学的パラメータを示すデータ、導出データ、生活活動データのうち少なくとも１つの少なくとも一部から発生され、受け手に提供される。
【００１１】
所定のルーチンは複数のカテゴリーを含むが、フィードバック情報は各カテゴリーに関して発生され提供される。カテゴリーの例には、栄養、活動レベル、精神集中、睡眠及び日常活動が含まれる。フィードバック情報は、グラフィックまたはテキスト形式で提供され、中央モニターユニットにより作成される１またはそれ以上のウェブページに含まれることもある。あるいは、フィードバック情報は物理的形式で受け手に送られることもある。
【００１２】
人間の生理学的情報を検知し、モニターし、報告する別のシステムも開示される。このシステムは、個人の上腕に接触する状態で配置されるセンサー装置を含む。このセンサー装置は、加速度計、ＧＳＲセンサー及び熱束センサーのうちの少なくとも１つを含み、センサー装置を着用する個人の活動度、電気皮膚反応、熱流のうち少なくとも１つを示すデータを発生するようになっている。センサー装置はまた、活動度、電気皮膚反応及び熱流のうち少なくとも１つを示すデータの少なくとも一部から導出データを発生するように構成してもよい。センサー装置は、コンピュータハウジング及び第１及び第２のウィングが個人の腕の一部を包む可撓性ウィング本体を備えることがある。センサー装置はまた、聴覚、視覚または触覚フィードバック情報を着用者に提供するように構成してもよい。
【００１３】
システムは、センサー装置から遠隔の中央モニターユニットをも含む。中央モニターユニットは、活動度、電気皮膚反応及び熱流のうち少なくとも１つを示すデータ、導出データ及び以前に発生された分析状態データのうちの少なくとも１つから分析状態データを発生する。中央モニターユニットはまた、活動度、電気皮膚反応及び熱流のうち少なくとも１つを示すデータから導出データを発生するように構成してもよい。中央モニターユニットはまた、受信するデータまた発生するデータを読み出し自在に記憶するデータ記憶装置を有する。このシステムはまた、センサーと中央モニターユニットとの間に電子通信関係を確立する手段を含む。このシステムには、活動度、電気皮膚反応及び熱流のうち少なくとも１つを示すデータ、導出データ及び／または分析状態データを個人またはその個人により権限を付与された第三者のような受け手に送信する手段も含む。
【００１４】
中央モニターユニットは、活動、電気皮膚反応及び熱流のうちの少なくとも１つを示すデータ、導出データ及び／または分析状態データを含む１またはそれ以上のウェブページを発生するように構成されている。中央モニターユニットが発生するウェブページは、インターネットのような電子ネットワークを介して受け手によるアクセスが可能である。あるいは、活動、電気皮膚反応及び熱流のうちの少なくとも１つを示すデータ、導出データ及び分析状態データは、メールまたはファクシミリのような物理的形態で受け手に送ることができる。
【００１５】
このシステムはまた、個人の生活活動データを得て、分析状態データを発生する時使用する。さらに、センサー装置は、個人に関連する１またはそれ以上のコンテキストパラメータを示すデータを発生するように構成されている。このため、システムは、分析状態データを発生する時１またはそれ以上のコンテキストパラメータを示すデータを使用する。
【００１６】
個人が推奨されるルーチンに従った程度をモニターするシステムを開示する。このシステムは、上述したようなセンサー装置を有する。このシステムはまた、センサー装置が発生するデータを該センサー装置から遠隔の中央モニターユニットへ送信する手段と、個人の生活活動データを中央モニターユニットへ提供する手段とを含む。フィードバック情報は、活動、電気皮膚反応及び熱流のうち少なくとも１つを示すデータ、導出データ及び生活活動データのうち少なくとも１つの少なくとも一部から発生される。
【００１７】
推奨されるルーチンは複数のカテゴリーを含むが、フィードバック情報は各カテゴリーに関して発生され提供される。カテゴリーの例には、栄養、活動レベル、精神集中、睡眠及び日常活動が含まれる。フィードバック情報は、グラフィックまたはテキスト形式で提供され、中央モニターユニットにより作成される１またはそれ以上のウェブページに含まれることもある。あるいは、フィードバック情報は物理的形式で受け手に送られることもある。
【００１８】
本発明の別の実施例によると、生理学的センサーと、コンテキストセンサーとより成る群から選択される少なくとも２つのセンサーを備えた、人間の生理学的情報及びコンテキスト情報のうち少なくとも１つを検知し、モニターし、報告する装置が提供される。生理学的センサーは、個人の１またはそれ以上の生理学的パラメータを示すデータの発生を容易にし、コンテキストセンサーは、個人の１またはそれ以上のコンテキストパラメータを示すデータの発生を容易にするようになっている。プロセッサは、センサーに結合され、生理学的パラメータを示すデータの少なくとも一部からの導出データを、また生理学的パラメータを示すデータ、コンテキストパラメータを示すデータ、導出データ及び分析状態データの少なくとも１つの少なくとも一部からの分析状態データを発生するようになっている。メモリーは、生理学的パラメータを示すデータ、コンテキストパラメータを示すデータ、導出データ及び分析状態データのうち少なくとも１つを読み出し自在に記憶する。生理学的パラメータを示すデータ、コンテキストパラメータを示すデータ、導出データ及び分析状態データのうちの少なくとも１つを個人へ送信する多種多様なオプションがあるが、それには視覚出力装置、触覚出力装置、聴覚出力装置及び装置に結合されたコンピュータ装置が含まれる。この装置はまた、情報の手動入力を可能にする手段、及び個人が着用する無線装置、個人の人体内に植え込まれた無線装置及び個人の近くに位置する無線装置のうちの少なくとも１つとの間で情報を送受信するのを可能にする無線装置を備えるようにしてもよい。
【００１９】
本発明のさらに別の実施例によると、センサー装置と、センサー装置に結合されたコンピュータ装置とを有する、人間の生理学的情報及びコンテキスト情報のうち少なくとも１つを検知し、モニターし、報告する装置が提供される。センサー装置は、生理学的センサーと、コンテキストセンサーとより成る群から選択される少なくとも２つのセンサーを備えている。生理学的センサーは、個人の１またはそれ以上の生理学的パラメータを示すデータの発生を容易にし、コンテキストセンサーは、個人の１またはそれ以上のコンテキストパラメータを示すデータの発生を容易にするようになっている。センサー装置は、生理学的パラメータを示すデータ、コンテキストパラメータを示すデータ、導出データ及び分析状態データのうち少なくとも１つを読み出し自在に記憶するメモリーを有する。コンピュータ装置は、生理学的パラメータを示すデータの少なくとも一部からの導出データを、また生理学的パラメータを示すデータ、コンテキストパラメータを示すデータ、導出データ及び分析状態データの少なくとも１つの少なくとも一部からの分析状態データを発生するようになっている。生理学的パラメータを示すデータ、コンテキストパラメータを示すデータ、導出データ及び分析状態データのうちの少なくとも１つを個人へ送信する多種多様なオプションがあるが、それには視覚出力装置、触覚出力装置、聴覚出力装置及びそのコンピュータ装置が含まれる。この装置はまた、情報の手動入力を可能にする手段、及び個人が着用する無線装置、個人の人体内に植え込まれた無線装置及び個人の近くに位置する無線装置のうちの少なくとも１つとの間で情報を送受信するのを可能にする無線装置を備えている。別の選択肢として、生理学的パラメータを示すデータの少なくとも一部から導出データを発生するプロセッサを備えるようにしてもよい。
【００２０】
本発明のさらに別の実施例によると、生理学的センサーと、コンテキストセンサーとより成る群から選択される少なくとも２つのセンサーを備えた、人間の生理学的情報及びコンテキスト情報のうち少なくとも１つを検知し、モニターし、報告する装置が提供される。生理学的センサーは、個人の１またはそれ以上の生理学的パラメータを示すデータの発生を容易にし、コンテキストセンサーは、個人の１またはそれ以上のコンテキストパラメータを示すデータの発生を容易にするようになっている。食餌情報を栄養情報へ変換するための変換情報を記憶するためのメモリーが設けられている。この装置はさらに、生理学的パラメータを示すデータの少なくとも一部からの導出データを、また生理学的パラメータを示すデータ、コンテキストパラメータを示すデータ、栄養情報及び分析状態データの少なくとも１つの少なくとも一部からの分析状態データを発生するプロセッサと、生理学的パラメータを示すデータ、コンテキストパラメータを示すデータ、導出データ及び分析状態データのうち少なくとも１つをその個人に送信する手段とを備えている。
【実施例】
【００２１】
一般的に、本発明では、個人の生理学的状態、ライフスタイル及びある特定のコンテキストパラメータに関するデータを収集し、その後でまたはリアルタイムで、そのデータを、好ましくは個人から離れたサイトへ、好ましくはインターネットのような電子的ネットワークを介して送った後、処理して受け手に提示するために蓄積する。本明細書中の用語「コンテキストパラメータ」は、空気の質、音の品質、周囲温度、地球上の位置などを含む（それらに限定されない）個人の環境、周囲及び場所に関するパラメータを意味する。図１を参照して、ユーザーの場所５には、人体の少なくとも一部に近接配置されるセンサー装置１０がある。センサー装置１０は、個人のユーザーが、例えばぴったり体に合うシャツのような衣服の一部またはアームバンドの一部として身に付けるのが好ましい。センサー装置１０は、個人の生理学的特性に応答して信号を発生する１またはそれ以上のセンサーと、マイクロプロセッサーとを有する。本明細書中の用語「近接」は、センサー装置１０のセンサーと個人の体とが、センサーの能力が妨げられないようにある材料またはある距離だけ離隔された状態を意味する。
【００２２】
センサー装置１０は、人間の心拍数、脈搏数、拍動間の変異、ＥＫＧまたはＥＣＧ、呼吸数、皮膚温度、中心部体温、体からの熱流、電気皮膚反応またはＧＳＲ、ＥＭＧ、ＥＥＧ、ＥＯＧ、血圧、体脂肪、水分補給レベル、活動レベル、酸素消費量、グルコースまたは血糖値、体位、筋肉または骨にかかる圧力、紫外線吸収のような人間の種々の生理学的パラメータを示すデータを発生する。ある特定の場合、種々の生理学的パラメータを示すデータは、１またはそれ以上のセンサーが発生する信号それ自体であり、場合によっては、１またはそれ以上のセンサーが発生する信号に基づきマイクロプロセッサーが計算したデータである。種々の生理学的パラメータを示すデータを発生する方法及び使用センサーは公知である。表１は、かかる周知の方法のいくつかの例について、問題のパラメータ、使用方法、使用センサー装置及び発生される信号を示す。表１はまた、そのデータを発生するためにはセンサーが発生する信号にさらに処理を加える必要があるか否かを示す。
【００２３】
表    １
2004538066.tif 000003
表１に掲げたデータの種類は、センサー装置１０が発生可能なデータの種類を例示するものである。他の種類のデータも、本発明の範囲から逸脱することなくセンサー装置１０により発生できることを理解されたい。
【００２４】
センサー装置１０のマイクロプロセッサーは、データを要約し分析するようにプログラム可能である。例えば、マイクロプロセッサーは、１０分のような所定の時間にわたる心拍数または呼吸数の平均値、最小値または最大値を計算するようにプログラム可能である。センサー装置１０は、１またはそれ以上の生理学的パラメータを示すデータに基づき個人の生理学的状態に関する情報を導出することができる。センサー装置１０のマイクロプロセッサー１０は、公知の方法により、１またはそれ以上の生理学的パラメータを示すデータに基づきかかる情報を導出するようにプログラムされている。表２は、導出可能な情報の種類の例と、そのために使用可能なデータの種類の一部を示す。
表    ２
2004538066.tif 000004
【００２５】
さらに、センサー装置１０は、個人を取り巻く環境に関する種々のコンテキストパラメータを示すデータを発生できる。例えば、センサー装置１０は、空気の質、音のレベル／品質、個人の近くの光の質または周囲温度、もしくは個人の地球的位置を示すデータを発生可能である。センサー装置１０は、個人を取り巻く環境に関連するコンテキスト特性に応答して信号を発生する１またはそれ以上のセンサーを備えており、これらの信号は最終的に上述した種類のデータの発生に使用される。かかるセンサーは、空気の質、音のレベル／品質、周囲温度及び地球的位置のようなコンテキストパラメータに関するデータを発生させる方法と同様によく知られている。
【００２６】
図２は、センサー装置１０の一実施例を示すブロック図である。センサー装置１０は、少なくとも１つのセンサー１２と、マイクロプロセッサー２０とを有する。センサー１２が発生する信号の性質に依り、その信号は増幅器１４、コンディショニング回路１６及びアナログ−デジタルコンバーター１８のうちの１またはそれ以上のコンポーネントを介してマイクロプロセッサー２０へ送られる。例えば、センサー１２が増幅及びフィルタリングを必要とするアナログ信号を発生する場合、その信号は増幅器１４へ送られた後、例えばバンドパスフィルターのようなコンディショニング回路１６へ送られる。増幅及びコンディショニング済みのアナログ信号はアナログ−デジタルコンバーター１８へ送られ、そこでデジタル信号へ変換される。デジタル信号はその後、マイクロプロセッサー２０へ送られる。センサー１２がデジタル信号を発生する場合は、その信号を直接マイクロプロセッサー２０へ送ればよい。
【００２７】
マイクロプロセッサー２０は、個人のある特定の生理学的またはコンテキスト特性を表すデジタル信号を用いて、個人ユーザーの生理学的及び／またはコンテキストパラメータを示すデータを計算し、発生する。マイクロプロセッサー２０は、個人の生理学的状態の少なくとも１つの局面に関する情報を導出するようにプログラムされている。マイクロプロセッサー２０はまた、マイクロコントローラーもしくは上述した機能を有するプログラム可能な他の種類のプロセッサーにより構成できることを理解されたい。
【００２８】
本発明の一実施例によると、生理学的及び／またはコンテキストパラメータを使用するデータはフラッシュメモリーのようなメモリー２２へ送られ、そこで、以下に述べる態様でアップロードされるまで保存される。図２はメモリー２２を個別素子として示すが、このメモリーはマイクロプロセッサー２０の一部でもよいことを理解されたい。センサー装置１０はまた、後述する態様である特定のデータ信号を出力すると共に入力として受ける入出力回路２４を有する。従って、時間がたつと、センサー装置１０のメモリー２２には、個人ユーザーの体及び／または環境に関するデータが増加する。そのデータは、図１に示すように、センサー装置１０から、好ましくはローカルネットワークワークまたはインターネットのような地球的規模の電子的ネットワークを介して定期的にアップロードされて遠隔の中央モニターユニット３０へ送られ、そこで、データベースに蓄積された後処理してユーザーに提示される。データのアップロードは、センサー装置１０によるある特定のレベル以下の心拍数の検出のような事象の発生により、または定期的に、センサー装置１０により始動される自動プロセスか、または毎日午後１０時のような、好ましくはある定期的なスケジュールに従って個人ユーザーまたはそのユーザーにより許可された第三者により始動されるものでもよい。あるいは、センサー装置１０は、メモリー２２にデータを蓄積しないでデータをリアルタイムで継続してアップロードしてもよい。
【００２９】
センサー装置１０から中央モニターユニット３０へ保存蓄積のために行うデータのアップロードには、種々の方法がある。一実施例において、センサー装置１０が収集するデータは、最初に図１に示すパソコン３５へ、例えば、ＲＳ２３２またはＵＳＢポートのようなシリアル接続手段である物理的接続手段４０により転送してアップロードされる。この物理的接続は、市販の多くのパーソナルデジタルアシスタントでは普通であるように、センサー装置１０を挿入可能なパソコン３５に電子的に結合されるクレイドル（図示せず）を用いて行ってもよい。データのアップロードは、その後クレイドルのボタンを押して始動するかまたはセンサー装置１０の挿入と同時に自動的に始動することも可能である。センサー装置１０により収集されるデータは、最初に、データを、４５で示す赤外線または無線通信のような短距離無線通信方式によりパソコン３５へ伝送することによりアップロードしてもよい。
【００３０】
そのデータは、パソコン３５が受信すると、オプションとして、良く知られた種々の方法の任意のもので圧縮され、暗号化された後、好ましくはローカルネットワークまたはインターネットのような地球的規模の電子的ネットワークにより中央モニターユニット３０へ送られる。パソコン３５の代わりに、例えばパーソナルデジタルアシスタントのような電子的ネットワークにアクセス可能でそのネットワークに対してデータを送受信できる任意の計算装置を使用できることに注意されたい。
【００３１】
別の方法として、センサー装置１０が収集したデータを暗号化し、オプションとしてマイクロプロセッサー２０により圧縮した後、双方向ペイジャまたはセルラー電話のような無線装置５０へ送って、電子メールまたはＡＳＣＩＩまたはバイナリーデータとして無線プロトコルを利用してローカル無線通信サイト５５へ長距離無線通信してもよい。ローカル無線通信サイト５５は、無線装置５０からの無線通信信号を受けるタワー６０とタワーに接続されたコンピュータ６５とを有する。好ましい実施例によると、コンピューター６５はインターネットのような電子的ネットワークにアクセス可能であり、インターネットを介して中央モニターユニット３０へ送られた無線通信信号の形で受信したデータを送信するために使用される。図１は無線装置５０をセンサー装置１０に結合された個別の装置として示すが、その装置及びそれと同一または類似の機能を有する装置をセンサー装置１０の一部として組み込んでもよい。
【００３２】
センサー装置１０には、就寝時間、起床時間及び食事時間のような事象の時間を記録するためのボタンを備えている。これらの時間記録はセンサー装置１０に保存され、上述したようなデータの残部と共に中央モニターユニット３０へアップロードされる。この時間記録はデジタル記録されたボイスメッセージを含むことがあるが、このメッセージは、中央モニターユニット３０へアップロードされた後、音声認識技術を用いて、中央モニターユニット３０が利用可能なテキストまたは他の任意の情報フォーマットへ変換される。
【００３３】
センサー装置１０による個人ユーザーの生理学的データを自動的に収集するだけでなく、例えば、個人の体重を測定するか、個人の手または体の他の部分を載せるセンサー装置１０に類似の感知装置によるか、若しくは、例えばレーザー技術またはｉＳｔ血液分析装置を用いて個人の体を走査することにより、データを収集するように、キオスクを構成することができる。キオスクは上述した処理能力及び関連の電子的ネットワークへのアクセス能力を備え、従って、電子的ネットワークを介して中央モニターユニット３０へ収集したデータを送るように構成されている。個人の手または体の他の部分を載せることができるセンサー装置１０に類似のデスクトップ感知装置を用意してもよい。かかるデスクトップ感知装置の例として、個人の腕を入れる血圧モニターがある。個人が、センサー装置１０を組み込んだリングを身に付けるようにしてもよい。このリングに結合するように構成した基部（図示せず）を設けることができる。上述したデスクトップ感知装置または基部を、物理的または短距離無線接続手段によりパソコン３５のようなコンピューターに結合して、収集したデータが上述した態様で関連の電子的ネットワークにより中央モニターユニット３０へアップロードされるようにしてもよい。例えば、パーソナルデジタルアシスタントのようなモバイル装置に、センサー装置１０を組み込んでもよい。かかるセンサー装置１０は、例えばその装置を手のひらに保持して体に近接配置すると、データを収集し、収集したデータを上述した任意の方法により中央モニターユニット３０へアップロードするように構成することができる。
【００３４】
さらに、個人は、上述した態様でかかるデータを自動的に感知することによりデータを収集するだけでなく、最終的に中央モニターユニット３０へ送られて保存される種々の生活活動に関するデータを、自動的な手段によらずに、提供することが可能である。個人ユーザーは、中央モニターユニット３０により維持されるウェブサイトにアクセス可能であり、テキストを自由に入力するか、ウェブサイトが行う質問に答えるか、またはウェブサイトにより提供されるダイアログボックスをクリックして、生活活動に関する情報を直接入力することが可能である。中央モニターユニット３０は、生活活動に関する情報を集めるように企図された質問を含む電子メールメッセージをパソコン３５またはパーソナルデジタルアシスタント、ペイジャまたはセルラー電話のような電子メールを受ける他の任意の装置へ定期的に送るように構成することができる。その個人は、関連のデータの入力により適当な電子メールメッセージに応答して、生活活動に関する情報を中央モニターユニット３０へ提供する。中央モニターユニット３０は、個人ユーザーへある特定の質問を行うためにそのユーザーに電話をするようにしてもよい。ユーザーは、電話のキーパッドにより情報を入力するかまたは音声により（この場合、従来の音声認識技術を中央モニターユニット３０が利用して応答を受け処理する）質問に答えることができる。ユーザーが電話をかけることもあるが、この場合、ユーザーは直接人に話しかけるかまたはキーパッドもしくは音声／音声認識技術より情報を入力することが可能である。中央モニターユニット３０は、例えば、自動的に情報を収集できる、ワシントン州レッドモンドのマイクロソフト社のアウトルックに含まれるようなユーザーの電子カレンダーのような、ユーザーにより制御される情報源にアクセスすることができる。生活活動に関するデータは、食事、睡眠、運動、精神集中または弛緩、毎日の生活習慣、パターン及び／または活動に関連するものである。従って、サンプル質問として、今日は昼食に何を食べましたか、昨晩は何時に就寝しましたか、今朝は何時に起床しましたか、今日はトレッドミル上で何時間走りましたか、が含まれる。
【００３５】
ユーザーへのフィードバックは、直接センサー装置１０により、例えばＬＥＤまたはＬＣＤを用いて可視的に行うか、センサー装置１０の少なくとも一部を熱変色性プラスチックで構成するか、音響信号を用いるか若しくは振動のような触覚フィードバックによって行うことができる。かかるフィードバックは、食事をさせるための、ビタミンのような薬またはサプリメントを摂取させるための、運動または瞑想のような活動を行わせるための、もしくは脱水症状が検知された場合に水を飲ませるための合図または警告となりうる。さらに、合図または警告は排卵のような特定の生理学的パラメータが検出された場合、トレーニング時燃焼されるカロリーがあるレベルに達した場合、または心拍数または呼吸数が高いレベルになった場合に発生することができる。
【００３６】
当業者には明らかなように、中央モニターユニット３０からセンサー装置１０へデータをダウンロードすることも可能である。かかるダウンロードプロセスにおけるデータの流れ方向は、センサー装置からのデータのアップロードに関連して上述した流れとは実質的に反対である。従って、センサー装置１０のマイクロプロセッサー２０のファームウェアを遠隔操作により更新または変更する、即ち、新しいファームウェアをそのタイミング及びサンプルレートのようなパラメータについて中央モニターユニット３０からセンサー装置１０へダウンロードすることによりマイクロプロセッサーのプログラムを変更することが可能である。センサー装置１０により提供される合図／警告は、ユーザーが中央モニターユニット３０により維持されるウェブサイトを介して設定した後、センサー装置１０へダウンロードすることが可能である。
【００３７】
図３を参照して、該図は、中央モニターユニット３０の実施例を示すブロック図である。中央モニターユニット３０は、ルーター７５に接続されたＣＳＵ／ＤＳＵ７０を備えているが、ルーターの主要機能は、データリクエストまたは入出トラフィックをチェックし、中央モニターユニット３０により維持されるウェブサイト上で処理し見ることができるように経路選択を行うことである。ルーター７５には、ファイアーウォール８０が接続されている。ファイアーウォール８０の主要目的は、中央モニターユニット３０の残りの部分を権限のないまたは悪意の侵入から保護することである。ファイアーウォール８０に接続されたスイッチ８５は、ミドルウェアサーバー９５ａ乃至９５ｃとデータサーバー１１０との間のデータの流れを制御するために使用される。負荷バランス装置９０は、入来リクエストの仕事負荷を同一構成のミドルウェアサーバー９５ａ乃至９５ｃに振り分けるために設けられている。負荷バランス装置９０（その適当な例として、カリフォルニア州サンホセのファウンドリーネットワークス社のF5 SeverIronがある）は、各ミドルウェアサーバー９５ａ乃至９５ｃの利用可能性及び各ミドルウェアサーバー９５ａ乃至９５ｃにおいて使用されるシステム資源の大きさを分析して、仕事がそれらの間に適切に振り分けられるようにする。
【００３８】
中央モニターユニット３０は、データ中央記憶手段として働く記憶エリアネットワークまたはＳＡＮのようなネットワーク記憶装置１００を有する。さらに詳しく説明すると、ネットワーク記憶装置１００は、上述した態様で各個人ユーザーについて収集する全てのデータを蓄積するデータベースよりなる。適当なネットワーク記憶装置１００の例として、マサチュセッツ州ホプキンスのイーエムシーコーポレイションにより販売されるSymmetrix製品がある。図３はただ１つのネットワーク記憶装置１００を示すが、中央モニターユニット３０のデータ蓄積ニーズに応じて種々の容量を有する多数のネットワーク記憶装置を使用できることを理解されたい。中央モニターユニット３０は、ネットワーク記憶装置１００に結合されたデータベースサーバー１１０も有する。データベースサーバー１１０は２つの主要な構成要素、即ち、大型のマルチプロセッサーサーバーと、カリフォルニア州レッドウットのオラクルコーポレイションにより販売される８／８ｉまたはワシントン州レッドモンドのマイクロソフト社により販売される５０６７コンポーネントのような企業タイプのソフトウェアサーバーとより成る。データサーバー１１０の主要機能は、リクエストに応じてネットワーク記憶装置１００に蓄積されたデータへアクセスし、ネットワーク記憶装置１００に新しいデータを入力することである。ネットワーク記憶装置１００にはコントローラー１１５が結合されるが、このコントローラーは通常、ネットワーク記憶装置に蓄積されたデータを管理するためのデスクトップ型パソコンより成る。
【００３９】
ミドルウェアサーバー９５ａ乃至９５ｃ（適当な例として、カリフォルニア州パロアルトのマイクロシステムズインコーポレイテッドにより販売される２２ＯＲデュアルプロセッサーがある）は、それぞれ、中央モニターユニット３０により維持されるウェブサイトの会社またはホームウェブページを作成し維持するためのソフトウェアを含んでいる。当該技術分野で知られているように、ウェブページはワールドワイドウェブ上で利用可能なデータのブロックであり、ＨＴＭＬ言語で書かれたファイルより成る。また、ウェブサイトはＷＷＷサーバープロセスを走らせるインターネット上の任意のコンピュータのことである。会社またはホームウェブページは、適当なＵＲＬを用いることによりサイトを訪れる一般大衆の全てにアクセス可能な起点となるウェブページである。当該技術分野でよく知られているＵＲＬはＷＷＷ上で用いるアドレスの形態をとり、インターネット上におけるオブジェクト、通常はウェブページの場所を特定する標準的方法である。ミドルウェアサーバー９５ａ乃至９５ｃはまた、登録して中央モニターユニット３０のメンバーになった個人によってのみアクセス可能な中央モニターユニット３０のウェブサイトのウェブページを作成し維持するソフトウェアを含む。メンバーであるユーザーは、それらのデータを中央モニターユニット３０に蓄積するのを望む個人である。かかるメンバーユーザーは、情報セキュリティーのためにパスワードによりアクセスできる。それらのウェブページの好ましい実施例について以下に説明するが、それらはネットワーク記憶装置１００のデータベースに蓄積される収集したデータを用いて作成される。
【００４０】
ミドルウェアサーバー９５ａ乃至９５ｃはまた、データベースサーバー１１０を介してネットワーク記憶装置１００からのデータのリクエスト及びその装置へのデータの書き込みを行うソフトウェアを含む。個人ユーザーがデータをネットワーク記憶装置のデータベースに書き込み、ネットワーク１００のデータベースに蓄積された自分のデータを見る目的で中央モニターユニット３０によるセッションを開始したい場合、ユーザーは、ワシントン州レッドモンドのマイクロソフト社のインターネットエクスプローラのようなブラウザープログラムを用いて中央モニターユニット３０のウェブページを訪れ、登録済みユーザーとしてログインする。負荷バランス装置９０は、ユーザーを、選択されたミドルウェアサーバーであるミドルウェアサーバー９５ａ乃至９５ｃのうちの１つに割り当てる。ユーザーは、各セッション全体について所定のミドルウェアサーバーを割り当てられるのが望ましい。選択されたミドルウェアサーバーは、よく知られた方法のうちの任意の方法によりユーザー認証を行って、真のユーザーだけがデータベースの情報にアクセスできるようにする。メンバーであるユーザーはまた、ヘルスケアプロバイダーまたは個人的なトレイナーのような第三者に彼または彼女のデータへのアクセス権を与えることができる。アクセス権を付与された第三者にはそれぞれ別個のパスワードが与えられるが、そのパスワードによって従来のブラウザーによりそのメンバーユーザーのデータを見ることができる。従って、ユーザーもその第三者もそのデータの受け手となりうる。
【００４１】
ユーザーが認証を受けると、選択されたミドルウェアサーバーは、データベースサーバー１１０を介して、所定の時間の間、ネットワーク記憶装置１００からその個人ユーザーのデータをリクエストする。所定の時間は３０日であるのが好ましい。リクエストされたデータをネットワーク記憶装置１００から受け取ると、その選択されたミドルウェアサーバーはそのデータをキャッシュメモリー内に一時的に蓄積する。キャッシュされたデータは、再びユーザーのブラウザーを介してそのユーザーへウェブページの形態で情報を提示するために、その選択されたミドルウェアサーバーにより利用される。各ミドルウェアサーバー９５ａ乃至９５ｃは、そのデータを用いて処理及び計算を行うことによりそのデータをユーザーへの提示に好適なフォーマットに変換するためのソフトウェアを含むかかるウェブページ作成のための適当なソフトウェアを備えている。ユーザーがそのセッションを終了すると、データはキャッシュから除去される。ユーザーが新しいセッションを始めると、上述したような、そのユーザーのためにデータを取り出してキャッシュするプロセスが繰り返される。従って、このキャッシュシステムではネットワーク記憶装置１００にセッション毎に１回の電話をかければよいのが理想であり、それによりデータベースサーバー１１０が取り扱う必要のあるトラフィックが減少する。特定セッションの時ユーザーからのリクエストが既に取り出されたキャッシュデータの所定の時間を外れたデータを必要とする場合は、選択されたミドルウェアサーバーがネットワーク記憶装置１００に別の電話をかけるようにすればよい。しかしながら、その別の電話を最小限に抑えるように所定の時間を選択する必要がある。キャッシュデータをキャッシュメモリーに保存して、ユーザーが新しいセッションを始める時に使用できるようにすることにより、ネットワーク記憶装置１００に新しく電話をする必要を無くすことも可能である。
【００４２】
表２に関連して説明したように、センサー装置１０のマイクロプロセッサーは、１またはそれ以上の生理学的パラメータを示すデータに基づき個人の生理学的状態に関する情報を導出するようにプログラムすることができる。中央モニターユニット３０及び好ましくはミドルウェアサーバー９５ａ乃至９５ｃも、１またはそれ以上の生理学的パラメータを示すデータに基づきかかる情報を導出するように同様にプログラムすることができる。
【００４３】
ユーザーが、例えば食事または睡眠の習慣に関する情報のような別の情報をセッションの間入力することが企図されている。この別のデータは、ユーザーのセッションの間選択されたミドルウェアサーバーがキャッシュメモリーに蓄積するのが好ましい。ユーザーがセッションを終了すると、キャッシュメモリーに蓄積されたこの別の新しいデータが、ネットワーク記憶装置１００に蓄積するために選択されたミドルウェアサーバーによりデータベースサーバー１１０へ転送される。あるいは、セッションの間利用する可能性があるため、キャッシュメモリーに蓄積するだけでなく、入力データを当該技術分野でよく知られたライトスルーキャッシュシステムの一部としてネットワーク記憶装置１００に蓄積するために直ちにデータベースサーバー１１０に転送してもよい。
【００４４】
図１に示すように、センサー装置１０により収集されるデータは、中央モニターユニット３０へ定期的にアップロードされる。長距離無線通信によるかまたはパソコン３５を介することにより、好ましくはインターネットである電子的ネットワークを通して中央モニターユニット３０への接続が行われる。詳説すると、負荷バランス装置９０への接続は、ＣＳＵ／ＤＳＵ７０、ルーター７５、ファイアーウォール８０及びスイッチ８５を介して行われる。負荷バランス装置９０はその後、選択されたミドルウェアサーバーと呼ぶ９５ａ乃至９５ｃのうちの１つを選択してデータのアップロードを取り扱う。選択されたミドルウェアサーバーは、よく知られた多くの方法のうちの１つを用いてユーザー認証を行う。認証が成功すれば、データは上述した選択したミドルウェアサーバーへアップロードされ、最終的に、データベースサーバー１１０へ転送されてネットワーク記憶装置１００に蓄積される。
【００４５】
図４を参照して、該図は、中央モニターユニット３０の別の実施例を示す。図４に示す中央モニターユニット３０の実施例は、図３に関連して説明した構成要素だけでなく、ネットワーク記憶装置１００の冗長性のあるバックアップであるミラーネットワーク記憶装置１２０を有する。このミラーネットワーク記憶装置１２０にはコントローラー１２２が結合されている。ネットワーク記憶装置１００からのデータは、データに冗長性を与える目的でミラーネットワーク記憶装置１２０へ定期的にコピーされる。
【００４６】
保険会社または研究所のような第三者には、おそらく料金を支払うことで、ミラーネットワーク記憶装置１２０に蓄積されたある特定の情報に対するアクセス権が与えられることがある。中央モニターユニット３０にデータを供給する個人ユーザーの秘密を保持するために、これら第三者にはかかるユーザーの個人データベース記録に対するアクセス権は与えられず、ミラーネットワーク記憶装置１２０に蓄積された一部のデータへのアクセス権だけが与えられるようにするのが好ましい。かかる第三者は、従来のブラウザープログラムを用いてインターネットによるミラーネットワーク記憶装置１２０に蓄積された情報にアクセスすることができる。第三者からのリクエストは、ＣＳＵ／ＤＳＵ７０、ルーター７５、ファイアーウォール８０及びスイッチ８５を介して入ってくる。図４に示す実施例では、ミラードライブアレイ１２０からのデータのアクセス及び提示に関する仕事を同一構成のミドルウェアサーバー１３５ａ乃至１３５ｃに振り分けるための別個の負荷バランス装置１３０が設けられている。ミドルウェアサーバー１３５ａ乃至１３５ｃはそれぞれ、第三者がブラウザーにより別個のデータベースサーバー１２５を介してミラーネットワーク記憶装置１２０から情報を得るための照会を行うのを可能にするソフトウェアを含む。ミドルウェアサーバー１３５ａ乃至１３５ｃはまた、ミラーネットワーク記憶装置１２０から得られる情報をネットワークを介してウェブページの形で第三者に提示するためのソフトウェアを含む。さらに、第三者は、種々の人口動態統計的カテゴリーのような主題に従って集められる情報を有する一連のレポートから選択を行うことができる。
【００４７】
当業者には明らかなように、これら第三者にミラーネットワーク記憶装置１２０に蓄積されたバックアップデータに対するアクセス権を与える代わりに、第三者にネットワーク記憶装置１００に蓄積されたデータに対するアクセス権を与えてもよい。また、負荷バランス装置１３０及びミドルウェアサーバー１３５ａ乃至１３５ｃを設ける代わりに、性能は低下するが同じ機能を負荷バランス装置９０及びミドルウェアサーバー９５ａ乃至９５ｃにより提供することが可能である。
【００４８】
個人ユーザーが初めて登録ユーザーまたはメンバーになる時、そのユーザーは詳細な調査に完全に回答する。この調査の目的は、中央モニターユニット３０により推奨される健康なライフスタイルを確立し維持する可能性を最大にするために対処する必要のある各ユーザーの特異な特性／環境を突き止めること；個人ユーザーの最初の目標を設定して健康指数のようなある特定のグラフィックデータ出力の計算及び表示を容易にするために使用するベースラインデータを収集すること；ヘルスマネジャーの日課としてユーザーに提供されるコンテンツの種類を中央モニターユニット３０が特別に選択するのを支援する特異なユーザー特性及び環境を明らかにすること；ヘルスマネジャーの問題解決機能により健康なライフスタイルに対する障害としてヘルスマネジャーの支援によりユーザーが対処することができる特異なユーザー特性及び環境を突き止めることである。
【００４９】
調査すべき特定の情報としては、活動レベル、食事、睡眠及び排便習慣の規則性、状況に対する最初の応答、適応性、持続性、応答性のしきい値、反応の強さ及び気分の性質を含む個人の重要な性格；ユーザーの自主独立レベル、即ち、自立形成及び自己管理、社交性、記憶力及び学問的成就能力；ユーザーの覚醒レベル、認知速度、注意力疎外要因の回避能力、覚醒状態及び自己監督能力を含むユーザーの注意力及び注意持続能力；現在の体重、身長及び血圧を含むユーザーの現在の健康状態、一般開業医による最も最近の診察、婦人科の診察及び他の適用される医者／健康管理者との接触、現在服用中の薬剤及びサプリメント、アレルギー歴及び現在の症状及び／または健康に関連する挙動の所見；ユーザーの過去の健康歴、即ち、病気／手術、家族歴及び個人による調整を必要とした、離婚または失業のような社会的事象；ユーザーの健康優先度に関する所信、価値感及び意見、振舞いを変える能力、及び生活のストレス原因と考えられるもの及びストレス管理方法；ユーザーの自己意識度、感情移入、権限委譲及び自尊心、ユーザーの食事、運動、睡眠、弛緩及び毎日の活動の現在のルーチン；ユーザーの生活における２つの重要な人物（例えば、配偶者、友人、同僚または上司の性格及びそれらとの関係において健康なライフスタイルを阻害するまたはストレスに寄与する衝突が存在するか否かについてのユーザーの受け止め方が含まれる。
【００５０】
各メンバーユーザーは、中央モニターユニット３０のホームウェブページを介して、ヘルスマネジャーと呼ぶそのユーザーのために特別に構成された一連のウェブページにアクセスする。図５は、ヘルスマネジャーの起点となるウェブページ１５０を示す。ヘルスマネジャーのウェブページは、そのメンバーユーザーの主要な操作エリアである。ヘルスマネジャーのウェブページはユーティリティーを備えており、中央モニターユニット３０はこのユーティリティーを介して分析状態データと普通呼ぶ多種多様な種類及び形態のデータをユーザーへ提供する。このデータは、中央モニターユニット３０が収集するか発生させるデータ、即ち、センサー装置１０が発生する種々の生理学的パラメータを示すデータ；種々の生理学的パラメータを示すデータから導出されるデータ；センサー装置１０により発生される種々のコンテキストパラメータを示すデータ及びユーザーが入力するデータのうちの１つまたはそれ以上である。分析状態データは、センサー装置１０が発生する種々の生理学的パラメータを示すデータ、種々の生理学的パラメータから導出されるデータ、センサー装置１０が発生する種々のコンテキストパラメータを示すデータ及びユーザーが入力するデータのうちの１つまたはそれ以上を、計算により求める健康度、壮健度及びライフスタイル指数に変換するために、ある特定のユーティリティーまたはアルゴリズムを利用する点に特徴がある。例えば、摂取した食料に関連してユーザーが入力するデータに基づきカロリー、たんぱく質、脂肪、炭水化物及びある特定のビタミンの量のようなものを計算することができる。別の例として、皮膚温度、心拍数、呼吸数、熱流及び／またはＧＳＲを用いることにより、所望の時間にわたるストレスレベルの指数をユーザーに提供することができる。さらに別の例として、皮膚温度、熱流、拍動間変異、心拍数、脈搏、呼吸数、中心部体温、電気皮膚反応、ＥＭＧ、ＥＥＧ、ＥＯＧ、血圧、酸素消費量、周囲の音及び加速度計のような装置で検出される体の動きを用いることにより、所望の時間にわたる睡眠パターンの指数をユーザーに提供することができる。
【００５１】
ヘルスマネジャーの起点となるウェブページ１５０には、健康指標１５５がある。この健康指標１５５は、ユーザーの成績及び中央モニターユニット３０により推奨される健康な日課を達成した度合いを測定し、それらをメンバーユーザーにフィードバックするためのグラフィックなユーティリティーである。このように、健康指標１５５は、メンバーユーザーに対して彼らの進捗状況を示す。健康指標１５５はユーザーの健康及びライフスタイルに関する６つのカテゴリー、即ち、栄養、活動レベル、精神集中、睡眠、毎日の活動及び感想を含む。栄養カテゴリーは、その人が何を、いつ、そしてどのくらい食べて飲むかに関わる。活動レベルのカテゴリーは、その人がどのくらい動き回るかに関する。精神集中のカテゴリーは、精神が高度に集中した状態で体の深い弛緩状態を可能にするある種の活動の品質及び人間がその活動に集中する時間に関する。睡眠のカテゴリーは、人間の睡眠の質及び量に関する。毎日の活動のカテゴリーは、毎日行わなければならないこと及び人間が遭遇する健康リスクに関する。最後に感想のカテゴリーは、ある特定の日について気分がよいか否かの一般的な受け止め方に関する。各カテゴリーには、好ましくは、「悪い」から「よい」の間で変化するスケールで、ユーザーがそのカテゴリーに関してどのような実績をあげたかを示す関連のレベルまたは棒グラフがある。
【００５２】
各メンバーユーザーが上述した最初の調査を終了すると、ユーザーに対して彼または彼女の特性及び生活環境の要約を提供するプロフィールが作成される。推奨の健康的な日課より成る計画及び／または目標が提示される。推奨の健康的な日課には、適当な栄養、運動、精神集中及びユーザーの生活の毎日の所定の活動に関する特定のアドバイスの任意の組み合わせが含まれる。これら推奨される活動をユーザーの生活に如何に取り込むかのガイドとして、典型的なスケジュールを提示してもよい。ユーザーはその調査を定期的に受け、その結果に基づき、上述したような項目をそれに応じて調整する。
【００５３】
栄養のカテゴリーは、ユーザーが入力するデータと、センサー装置１０が感知するデータとの両方から計算される。ユーザーが入力するデータには、朝食、昼食、夕食及び任意のおやつの時間及び長さ、食料、ビタミンのようなサプリメント及び関連の予め選択した時間の間に飲む水及び他の液体が含まれる。このデータ及び種々の食料の公知の特性に関する蓄積されたデータに基づき、中央モニターユニット３０は、消費カロリー、たんぱく質、脂肪、炭水化物、ビタミンなどの量のようなよく知られた栄養学的食物値を計算する。
【００５４】
健康指標の栄養を示す棒グラフは、推奨される以下の健康的な日課、即ち、少なくとも３回の食事を摂る；パン、パスタ、シリアル、米が６−１１部、フルーツが２−４部、野菜が３−５部、魚、肉、鶏肉、乾燥豆、卵及びナッツが２−３部、ミルク、ヨーグルト、チーズが２−３部より成る多様な食事を摂り、８オンスまたはそれ以上の水を飲む日課について決定するのが好ましい。この日課は、性別、年齢、身長／体重のようなユーザーに関する情報に基づき調整することができる。毎日摂取するカロリー、たんぱく質、繊維、脂肪、炭水化物または水及び全体の摂取量に対する割合に関するある特定の栄養の目標をユーザーがまたはユーザーに代わって設定してもよい。棒グラフの計算に用いるパラメータには、１日の食事回数、水の消費量、毎日食べる食物の種類及び量をユーザーが入力したものが含まれる。
【００５５】
栄養学的情報は、図６に示すような栄養ウェブページ１６０によりユーザーに提示される。好ましい栄養ウェブページ１６０は、栄養の実際及び目標となる数値をそれぞれ円グラフで示す栄養数値チャート１６５、１７０と、実際の栄養摂取総量及び目標となる栄養摂取総量をそれぞれ円形グラフで示す栄養摂取チャート１７５、１８０を含む。栄養数値チャート１６５、１７０は炭水化物、たんぱく質及び脂肪のような項目を百分比で示すのが好ましく、栄養摂取チャート１７５、１８０はカロリーの合計値及び目標値を、脂肪、炭水化物、たんぱく質及びビタミンのような成分で分けて示すのが好ましい。ウェブページ１６０は、食物及び水の消費を時間で示す履歴１８５、ユーザーが栄養に関連するニュース記事、栄養に関する日課を改善するためのアドバイス及びネットワーク上のどこかの関連の広告を直接チェックできるようにするハイパーリンク１９０、及び可変期間を示す図と選択可能期間を示す図との間で選択可能なカレンダー１９５も含む。１９０で示す項目は、調査により個人について知り得た情報及び健康指標により測定された個人の成績に基づいて特別に選択することができる。
【００５６】
健康指標１５５の活動レベルのカテゴリーは、その日にユーザーがどのように、またいつ動き回るかについてユーザーがチェックするのを支援するように設計されており、ユーザーが入力するデータとセンサー装置１０が感知するデータとの両方を利用する。ユーザーが入力するデータには、例えば、ユーザーが午前８時から午後５時まで机に向かって仕事をした後、午後６時から午後７時までエアロビクスのクラスをとるという事実のようなユーザーの毎日の活動に関する詳細事項が含まれる。センサー装置１０により感知される関連のデータには、心拍数、加速度計のような装置により感知される運動、熱流、呼吸数、消費カロリー量、ＧＳＲ及び水分補給レベルが含まれ、これらはセンサー装置６０または中央モニターユニット３０により取り出すことができる。消費カロリー量は、ユーザーが入力する運動の種類とユーザーが入力する運動の持続時間との掛け算、感知する運動と運動の時間及びフィルター定数の掛け算または感知される熱流と時間とフィルター定数との掛け算のような種々の方法で計算することができる。
【００５７】
健康指標の活動レベルの棒グラフは、好ましくは２０分である所定の期間のエアロビクス運動、または好ましくは１時間である所定の期間の精力的なライフスタイル活動及びエアロビクス及び／または精力的なライフスタイル活動による好ましくは少なくとも最小目標カロリー（２０５カロリー）の燃焼を含む推奨される健康な日課に関して決定するのが好ましい。最小目標カロリーは、ユーザーの性別、年齢、身長及び／または体重のような情報に基づき設定可能である。関連の棒グラフの計算に用いるパラメータには、エアロビクス運動または精力的なライフスタイル活動に費やす時間であって、ユーザーが入力したものそして／またはセンサー装置１０が感知したもの、及び予め計算したエネルギー消費パラメータ以上に燃焼したカロリー数が含まれる。
【００５８】
個人ユーザーの動きに関する情報は、図７に示す活動レベルウェブページ２００によりユーザーに提示されるが、このウェブページは、ユーザーの活動を３つのカテゴリー、即ち、所定の単位時間に関して「高」、「中」、「低」でモニターする棒グラフの形をした活動度グラフ２０５を含む。円グラフの形の活動百分比チャートも、ユーザーが各カテゴリーで費やした１日のような所定の期間の百分比を示すために提示することができる。活動レベルウェブページ２００はまた、燃焼カロリー総量、毎日の燃焼カロリー目標値、カロリー摂取合計値及びエアロビクス運動時間のような項目を表示するためのカロリー部分２１５を含む。最後に、活動レベルウェブ２００は、ユーザーが、関連のニュース記事、活動レベルに関する日課を改善するためのアドバイス及びネットワーク上の関連広告を直接チェックできるようにする少なくとも１つのハイパーリンク２２０を含む。活動レベルのウェブページ２００は種々のフォーマットで見ることができるが、棒グラフ、円グラフ及びその両方のようなユーザーが選択可能なグラフまたはチャートは、活動レベルチェックボックス２２５により選択可能である。活動レベルカレンダー２３０は、可変期間の図と選択可能期間の図との間で選択できるようにするために提供される。２２０に示す項目は、調査によりその個人から抽出した情報及び健康指標により測定される彼らの成績に基づき特別の選択することができる。  健康指標１５５の精神集中カテゴリーは、ユーザーが、精神を集中しながら深い弛緩状態に体が到達できるようにする、ある特定の活動を行う時間に関するパラメータをモニターするのを支援するように設計されており、ユーザーが入力するデータとセンサー装置１０が感知するデータとの両方に基づくものである。詳説すると、ユーザーはヨガまたは瞑想のような弛緩活動の開始時間及び終了時間を入力することができる。精神集中の深さにより決まるこれらの活動の品質は、センサー装置１０により感知される皮膚温度、心拍数、呼吸数及び熱流を含むパラメータをモニターすることにより測定可能である。センサー装置１０または中央モニターユニット３０の何れかにより得られるＧＳＲの百分比変化を利用することもできる。
【００５９】
健康指標の精神集中の棒グラフは、少なくとも１５分の間、精神を高度に集中した状態にしながら体を深く弛緩させる活動への毎日の参加を含む推奨の健康な日課に関連して計算するのが好ましい。関連の棒グラフの計算に使用するパラメータには、精神集中活動に費やす時間の長さ及び精神集中活動の深さまたは品質を示すベースラインからの、センサー装置１０により感知される皮膚温度、心拍数、呼吸数、熱流またはＧＳＲの百分比変化が含まれる。
【００６０】
内省及び弛緩に費やす時間に関する情報は、図８に示す精神集中ウェブページ２５０によりユーザーに提示される。セッションと呼ぶ精神集中活動について、好ましい精神集中ウェブページ２５０は、２５５で示すセッションに費やした時間、２６０で示す目標時間、精神集中の深さの目標値及び実際の値を示す比較部分２６５、及び皮膚温度、心拍数、呼吸数、熱流及び／またはＧＳＲのようなものから導出される全体的なストレスレベルを示すヒストグラム２７０を含む。比較部分２６５では、目標となる精神集中状態を示す人間の輪郭は実線であり、実際の精神集中状態を示す人間の輪郭は、精神集中のレベルに応じてぼやけた状態と実線の間で変化する。好ましい精神集中ウェブページはまた、２７５で示す精神集中活動に費やした時間の合計、ユーザーが関連のニュース記事を直接チェックできるようにするハイパーリンク２８０、精神集中に関する日課の改善に関するアドバイス及び関連の広告と、可変期間と選択可能期間との間での選択を可能にするカレンダー２８５とを含む。２８０で示す項目は、調査により個人から知り得た情報及び健康指標により測定される彼らの成績に基づき特別に選択することができる。
【００６１】
健康指標１５５の睡眠カテゴリーは、ユーザーが睡眠パターン及び睡眠の質をモニターするのを支援するように設計されている。このカテゴリーは、ユーザーが健康なライフスタイルにおける睡眠の重要性と、体の機能の毎日の通常の変化である日周期に対する睡眠の関係とについて学習するのを助けるように意図されている。睡眠のカテゴリーは、ユーザーが入力するデータとセンサー装置１０が感知するデータとの両方に基づくものである。関連の各時間インターバルの間にユーザーが入力するデータには、ユーザーの入眠時間と起床時間及び睡眠の質のランクが含まれる。表２に示すように、センサー装置１０から得られる関連性のあるデータには、皮膚温度、熱流、拍動間変異、心拍数、脈搏数、呼吸数、中心部体温、電気皮膚反応、ＥＭＧ、ＥＥＧ、ＥＯＧ、血圧及び酸素消費量が含まれる。また、周囲の音及び加速度計のような装置により検知される体の動きも関連性を有する。その後、このデータを用いて、入眠時間及び起床時間、睡眠中断及び睡眠の質及び深さを計算するか導出できる。
【００６２】
健康指標の棒グラフは、毎晩好ましくは８時間の最小睡眠時間の確保及び予測可能な就寝及び起床時間を含む健康な日課について決定される。この棒グラフの計算を可能にする特定のパラメータには、センサー装置１０により感知されるかユーザーが入力する毎日の睡眠時間及び起床時間と、ユーザーが等級をつけるかまたは他のデータから導出される睡眠の質が含まれる。  睡眠に関する情報は、図９に示す睡眠ウェブページ２９０によりユーザーに提示される。睡眠ウェブページ２９０は、センサー装置１０からのデータまたはユーザーが入力するデータの何れかに基づく睡眠時間表示２９５と、ユーザーの就寝時間３００及び起床時間表示３０５を含む。ユーザーにより入力される睡眠の質のランク３１０を利用し、これを表示することも可能である。１日の時間インターバルを超える表示を睡眠ウェブページ２９０において行う場合、睡眠時間表示２９５は累計値として表示し、就寝時間表示３００、起床時間表示３０５及び睡眠の質ランク３１０は平均値として計算し、表示する。睡眠ウェブページ２９０はまた、所定の時間インターバルにわたって１つの睡眠関連パラメータを計算し表示するユーザーにより選択可能な睡眠グラフ３１５も含む。図９は１日の期間にわたる熱流を示すが、この熱流は睡眠中は低く、起きている時は高くなる傾向がある。この情報から、その人のバイオリズムを得ることが可能である。睡眠グラフ３１５はまた、体の動きをモニターするセンサー装置１０に組み込んだ加速度計からのデータをグラフ表示する。睡眠ウェブページ２９０はまた、ユーザーが睡眠に関連するニュース記事、睡眠に関する日課を改善するためのアドバイス及びネットワーク上にある関連の広告を直接チェックできるようにするハイパーリンク３２０と、関連の時間インターバルを選択するための睡眠カレンダー３２５とを含むことができる。３２０で示す項目は、調査において個人から知り得た情報及び健康指標により測定される成績に基づき特別に選択することができる。
【００６３】
健康指標１５５の毎日の生活の活動カテゴリーは、健康及び安全に関連するある特定の活動及びリスクをユーザーがモニターするのを支援するように設計されており、すべてユーザーにより入力されるデータに基づくものである。毎日の生活の活動に関するカテゴリーは、下位概念の４つのカテゴリー、即ち、歯ブラシまたはフロスを用いる歯の手入れ及びシャワーを浴びるような活動をユーザーがモニターするのを可能にする個人的衛生；ユーザーが処方箋通りの薬またはサプリメントを飲んでいるか否かを追跡し、煙草またはアルコールの消費量並びにシートベルトの使用のような自動車の安全性をユーザーがモニターするのを可能にする健康維持；家族または友人と共に過ごす時間、レジャー及び精神集中活動をユーザーがモニターするのを可能にする個人的時間；及び請求書の支払い及び家庭の雑用のようなある特定の仕事及び家計活動をユーザーがモニターするのを可能にする責任に分けられる。
【００６４】
健康指標の中の毎日の生活の活動に関する棒グラフは、以下に述べる健康的な日課について決定するのが好ましい。個人の衛生に関する日課は、ユーザーが毎日シャワーを浴びるか入浴し、毎日ブラシとフロスを用いて歯を清潔に保ち、規則的な便通を維持するのを必要とする。健康維持に関する日課は、ユーザーが薬、ビタミン及び／またはサプリメントを飲み、シートベルトを使用し、禁煙し、節酒し、健康マネジャーにより毎日、健康をモニターするのを必要とする。個人的時間に関する日課は、ユーザーが毎日少なくとも１時間家族及び／または友人と良質な時間を過ごし、仕事時間を最大９時間に制限し、毎日レジャーまたは遊びに一部の時間を費やし、頭を使う活動を行うのを必要とする。責任に関する日課は、ユーザーが家の雑事を行い、請求書の支払いをし、仕事に遅れず、約束を守るのを必要とする。棒グラフは、ユーザーが入力する情報により決定される、ユーザーが毎日リストされた活動を完了する度合いに基づき計算される。
【００６５】
これらの活動に関する情報は、図１０に示す毎日の活動ウェブページ３３０によりユーザーに提示される。好ましい毎日の活動ウェブページ３３０において、下位概念のうちの１つまたはそれ以上につき選択可能な活動チャート３３５は、ユーザーがその日課により必要とされることを実行したか否かを示す。色または影がついたボックスはユーザーが必要とされる活動を実行したことを示し、また、色または影のないボックスはユーザーがその活動を実行していないことを示す。活動チャート３３５は、選択可能な時間インターバルにおいて作成し、見ることが可能である。説明の目的で、図１０は、特定の週における個人的衛生及び個人的時間のカテゴリーを示す。さらに、毎日の活動ウェブページ３３０は、ユーザーが関連のあるニュース記事、毎日の生活の活動に関する日課を改善するためのアドバイス及び関連の広告を直接チェックするのを可能にする毎日の活動ハイパーリンク３４０と、関連の時間インターバルを選択するための毎日の活動のカレンダー３４５とを含むことができる。３４０に示す項目は、調査において個人から知り得た情報及び健康指標により決定される彼らの成績に基づき特別に選択することができる。
【００６６】
健康指標１５５の元気度カテゴリーは、特定の日に元気であったか否かの認識をユーザーがモニターするのを可能にするように設計され、ユーザーが直接入力する本質的に主観的な等級である情報に基づくものである。ユーザーは、以下の９つの領域、即ち、精神的鋭敏さ、精神的及び心理的幸福度、エネルギーレベル、人生のストレスへの対処能力、対面を重んじる度合い、物理的幸福度、自己抑制、動機及び他人との関係による慰め、に関して、好ましくは１から５までのスケールを用いてランク付けを行う。これらの度合いを平均して、関連の棒グラフの計算に使用する。
【００６７】
図１１は、健康度のウェブページ３５０を示す。健康度のウェブページ３５０は、連続または不連続の任意の日にちを含むユーザーが選択可能な時間インターバルにわたる健康度をユーザーがチェックするのを可能にする。健康度のセレクタボタン３６０を用いることにより、ユーザーは、１つのカテゴリーについて健康度の棒グラフをチェックする選択を行うか、または２またはそれ以上のカテゴリーについて健康度の棒グラフを並べて比較することができる。例えば、ユーザーは、彼らが好む株の成績を見るのと丁度同じように、前月に総合的な睡眠の等級が改善されたか否かをチェックするために、睡眠の棒グラフだけを作動状態にしたい場合がある。あるいは、睡眠と活動レベルとを同時に表示することにより、睡眠の等級とそれに対応する活動レベルの等級とを比較評価して、それぞれの日にちの間に何らかの相関関係が存在するか否かをチェックする場合がある。所定の時間インターバルについて栄養の等級と健康度の等級とを表示して、毎日の食事習慣とそのインターバルの間の食事習慣と健康度との間に何らかの相関関係が存在するか否かをチェックする場合がある。説明の目的で、図１１は、６月１０日から６月１６日の週の睡眠と活動レベルの棒グラフによる比較を示す。健康度ウェブページ３５０はまた、ユーザーがログインしてヘルスマネジャーを利用した日数の合計、ユーザーが入会以来ヘルスマネジャーを利用した日にちの割合及びユーザーがデータを収集するためにセンサー装置１０を利用した時間の割合のようなアクセス情報及び統計を表示する追跡計算器３６５も含む。
【００６８】
図５を参照して、ヘルスマネジャーの起点となるウェブページ１５０は、それぞれが健康度１５５のカテゴリーに対応するユーザーにより選択可能な複数のカテゴリーの要約１５６ａ乃至１５６ｆを含む。各カテゴリーの要約１５６ａ乃至１５６ｆは、対応するカテゴリーに関して予め選択しフィルターをかけたデータの副集合を提示する。栄養カテゴリーの要約１５６ａは、カロリー摂取量の毎日の目標値と実際値とを示す。活動レベルカテゴリーの要約１５６ｂは、燃焼カロリー量の毎日の目標値と実際値とを示す。精神集中の要約１５６ｃは、精神集中の深さの目標値及び実際値を示す。睡眠カテゴリーの要約１５６ｂは、目標の睡眠時間、実際の睡眠時間及び睡眠の質の等級を示す。毎日の活動カテゴリーの１５６ｂは、推奨される毎日の活動に対する完了した活動の割合に基づく目標点数及び実際点数を表示する。元気度のカテゴリーの要約１５６ｆは、その日の健康度の目標及び実際の等級を示す。
【００６９】
ヘルスマネジャーの起点となるウェブページ１５０はまた、ニュース記事へのハイパーリンク、最初の調査によりチェックされる栄養不良のような傾向に基づくユーザーへのコメント及び合図を含む（それらに限定されない）情報を毎日ユーザーに提供する毎日の日課部分１５７を含むことがある。毎日の日課部分１５７のコメントとしては、例えば、毎日水をコップ８杯飲むとすい臓ガンの危険性を３２％も減らすことができるという記述に付随した、仕事中はあなたのコンピューターのそばまたは机の上に水の入ったコップを置いておいて随時水分を補給しなさいというアドバイスがある。ヘルスマネジャーの起点となるウェブページ１５０はまた、健康度１５５の各カテゴリーにおけるユーザーの成績を積極的に評価して改善のためのアドバイスを提示する問題解決セクション１５８を含む。例えば、システムによりユーザーの睡眠レベルが「低」で、ユーザーが不眠症であることを示唆する場合、問題解決セクション１５８は睡眠を改善するための方法をアドバイスすることができる。問題解決セクション１５８はまた、成績の改善に関するユーザーの質問を含むことができる。ヘルスマネジャーの起点となるウェブページ１５０はまた、入力ダイアログボックスを立ち上げる毎日のデータセクション１５９を含む。入力ダイアログボックスにより、ユーザーはヘルスマネジャーにより必要とされる種々のデータの入力を容易に行うことができる。当該技術分野において知られているように、データの入力は予め提示されたリストまたは普通の自由テキスト形式の入力かの選択が可能である。最後にヘルスマネジャーの起点となるウェブページ１５０は、ユーザーの身長、体重、体の測定値、ＢＭＩ及び心拍数、血圧または任意の生理学的パラメータのような生命兆候に関する情報を与える体の状態セクション１６１を含むことができる。
【００７０】
図１２−１７を参照して、該図は、肩と肘の間の上腕に着用するアームバンドの形をしたセンサー装置１０の特定実施例を示す。図１２−１７に示すセンサー装置１０の特定実施例を、便宜的に、アームバンドセンサー装置４００と呼ぶ。アームバンドセンサー装置４００は、コンピューターハウジング４０５、可撓性ウィング本体４１０と、図１７に示すような弾性ストラップ４１５より成る。コンピューターハウジング４０５及び可撓性ウィング本体４１０は、柔軟なウレタン材またはゴム若しくは成型プロセスにより混合されたゴム−シリコンのようなエラストマー材で作るのが好ましい。可撓性ウィング本体４１０は第１及び第２のウィング４１８より成り、ウィングはそれぞれ端部４２５の近くに貫通孔４２０を有する。第１及び第２のウィング４１８は、着用者の上腕の一部を包むようになっている。
【００７１】
弾性ストラップ４１５は、アームバンドセンサー装置４００を個人の上腕に着脱自在に固定するために使用する。図１７からわかるように、弾性ストラップ４１５の底面４２６の一部に沿ってベルクロループ４１６が設けられている。弾性ストラップ４１５の各端部４２７の底面４２６上にはベルクロ係止パッチ４２８が、また上面４３０上にはプルタブ４２９が設けられている。各プルタブ４２９の一部は、各端部４２７の端縁部を超えて延びる。
【００７２】
アームバンドセンサー装置４００を着用するには、ユーザーは、弾性ストラップ４１５の各端部４２７を可撓性ウィング本体４１０の貫通孔４２０にそれぞれ挿入した後、弾性ストラップ４１５、可撓性ウィング本体４１０及びコンピューターハウジング４０５により形成されるループに腕を通す。各プルタブ４２９を引き出して、ベルクロ係止パッチ４２８を弾性ストラップ４１５の底面４２６に沿う所望の位置でベルクロループ４１６に係合することにより、ユーザーは弾性ストラップ４１５をぴったり合うように調整することができる。ベルクロ係止パッチ４２８は、底面４２６のほとんど任意の位置でベルクロループ４１６に係合できるため、アームバンドセンサー装置４００は種々の太さの腕にフィットするように調整できる。また、弾性ストラップ４１５は広い範囲の腕の太さに適用するように種々の長さにすることができる。当業者には明らかなように、スナップ、ボタンまたはバックルを含む（これらに限定されない）、弾性ストラップを固着しそのサイズを調整する他の手段を用いることができる。また、ベルクロ、スナップ、ボタン、バックルなどを含む幾つかの従来型手段のうちの１つにより締着される２つの弾性ストラップ、またはウィング４１８に固着された単一の弾性ストラップを用いることも可能である。
【００７３】
また、ウィング４１８に貫通孔４２０を設ける代わりに、Ｄ字形ループ（図示せず）を幾つかの従来型手段の１つによりウィング４１８の端部４２５に固着してもよい。例えば、ピン（図示せず）を端部４２５に挿入し、ピンがループの各端部と係合するようにしてもよい。この構成によると、Ｄ字形ループは、弾性ストラップ４１５の接続ポイントとして働き、各ウィング４１８の各端部４２５と各ループとの間に事実上貫通孔を形成する。
【００７４】
アームバンドセンサー装置４００の展開図である図１８に示すように、コンピューターハウジング４０５は、上部４３５と下部４４０とを有する。コンピューターハウジング４０５内には、プリント回路板またはＰＣＢ４４５、好ましくはリチウムイオン電池である再充電可能電池４５０、及びペイジャに用いるような着用者に触覚フィードバックを与える振動モーター４５５が内臓されている。振動モーター４５５の適当な例は、英国のMG
Motors, Ltd.のモデル１２３４２及び１２３４３である。
【００７５】
コンピューターハウジング４０５の上部４３５及び４４０はＯリング４３７が装着される溝４３６に沿って密封嵌合し、底部４４０のねじ山４３８ａ及び補剛材４３８ｂと、ＰＣＢ４４５の孔４３９を貫通して上部４３５のねじを受ける補剛材４５１内へ延びるねじ（図示せず）により互いに固着可能である。あるいは、上部４３５及び下部４４０をスナップ式に結合するか接着剤により互いに固着してもよい。コンピューターハウジング４０５は、組み立てを完了後では、アームバンドセンサー装置４００を着用して水泳を行ってもその性能に悪影響を与えることのないほど十分な液密性を有する。
【００７６】
図１３からわかるように、底面４４０の裏側には隆起したプラットフォーム４３０がある。隆起したプラットフォーム４３０には熱流または熱束センサー４６０が固着されるが、そのセンサーの適当な例として、ニューハムプシャー州ハドソンのRdF Corporationにより販売されるマイクロフォイル熱束センサーがある。熱束センサー４６０は自生式サーモパイル変換器として働き、ポリアミドフィルムより成るキャリアを備えるのが好ましい。下部４４０はその上面、即ち、熱束センサー４６０が固着された側とは反対側に、アルミニウムのような適当な金属で形成された熱シンクを有する。隆起したプラットフォーム４３０には、好ましくは、導電性炭化ゴム、金またはステンレス鋼のような材料で形成した電極を有するＧＳＲセンサー４６５が固着されている。図１３は２つのＧＳＲセンサー４６５を示すが、当業者は、個々のＧＳＲセンサー４６５、即ち電極が互いに電気的に隔離されておれば、隆起したプラットフォーム４３０上の可変位置に可変数のＧＳＲセンサー４６５を設けてもよいことがわかるであろう。熱束センサー４６０及びＧＳＲセンサー４６５は、隆起したプラットフォーム４３０に固着されるため、アームバンドセンサー装置４００を着用すると、着用者の皮膚と接触することになる。コンピューターハウジング４０５の下部４４０の、隆起したプラットフォーム４３０及びねじ山４３８ａを含まない表面の一部の上には、着脱自在で交換可能な柔らかいフォーム布製パッド（図示せず）を設けてもよい。柔らかいフォーム布は、着用者の皮膚と接触して、アームバンドセンサー装置４００の付け心地を良くするために使用するものである。
【００７７】
熱束センサー４６０、ＧＳＲセンサー４６５及びＰＣＢ４４５間の電気的結合は、種々の公知の方法の１つで行うことができる。例えば、適当な配線（図示せず）をコンピューターハウジング４０５の下部４４０内に植え込んだ後、ＰＣＢ４４５上の適当な入力場所、熱束センサー４６０及びＧＳＲセンサー４６５へ半田のような方法で電気的に接続することができる。あるいは、配線を下部４４０に植え込む代わりに、下部４４０に貫通孔を設けて適当な配線を通すようにしてもよい。貫通孔は、コンピューターハウジング４０５の健全性を維持するために液密性密封材を設けるのが好ましい。
【００７８】
図１３に示すように隆起したプラットフォーム４３０に固着する代わりに、熱束センサー４６０及びＧＳＲセンサー４６５の一方または両方を、アームバンドセンサー装置４００を着用すると着用者の皮膚と接触するように、可撓性ウィング本体４１０の内部４６６の一方または両方のウィング４１８に固着してもよい。かかる構成によると、熱束センサー４６０及びＧＳＲセンサー４６５の何れかとＰＣＢ４４５との電気的結合を、コンピューターハウジング４０５の１またはそれ以上の貫通孔を通過し半田付けのような方法によりＰＣＢ４４５上の適当な入力場所に電気的に接続される、可撓性ウィング本体４１５に植え込まれた適当な配線（図示せず）により行うことができる。再び、貫通孔にはコンピューターハウジング４０５の健全性を維持するために液密性密封材を設けるのが好ましい。あるいは、配線を通すコンピューターハウジング４０５に配線を通す貫通孔を設ける代わりに、後述するように、配線がオーバーモーディングプロセスの間コンピューターハウジング４０５に捕捉されるようにして、最後にＰＣＢ４４５上の適当な入力場所に適当に半田付けしてもよい。
【００７９】
図１２、１６、１７、１８に示すように、コンピューターハウジング４０５は、ＰＣＢ４４５上のノンラッチスイッチ５８５に結合され、該スイッチを作動するボタン４７０を有する。ボタン４７０は、アームバンドセンサー装置４００を作動させ、ある事象が発生する時間を記録するかまたは電池レベル及びメモリー容量のようなシステム状態情報をリクエストするために使用する。ボタン４７０を押すと、ノンラッチスイッチ５８５が回路を閉じるため、信号がＰＣＢ４４５上の処理ユニット４９０へ送られる。ボタン４７０を押す時間インターバルに応じて、発生する信号が上述した事象のうちの１つを始動させる。コンピューターハウジング４０５はまた、電池レベルまたはメモリー容量を指示するかもしくは着用者へ可視フィードバックを与えるためのＬＥＤ４７５を有する。ＬＥＤ４７５の代わりに、コンピューターハウジング４０５は、液晶ディスプレイまたはＬＣＤを用いて、電池レベル、メモリー容量を指示しまたは着用者に可視フィードバック情報を与えることができる。電池レベル、メモリー容量またはフィードバック情報は、触覚により、または音響的方法により着用者に与えることも可能である。
【００８０】
アームバンドセンサー装置４００は、ＧＳＲセンサー４６５または熱束センサー４６０の何れかがアームバンドセンサー装置４００がユーザーの皮膚との接触状態におかれたことを示す特定状態を感知すると、作動、即ち、データを収集するように構成されている。また、アームバンドセンサー装置４００は、熱束センサー４６０、ＧＳＲセンサー４６５、加速度計４９５または５５０、もしくはアームバンドセンサー装置４００と通信関係にある他の任意の装置のうちの１つまたはそれ以上が、単独でまたは一緒に、アームバンドセンサー装置が着用者の皮膚と接触する状態に置かれたことを示す特定の状態を感知すると、使用状態に作動されるように構成されている。それ以外の時は、アームバンドセンサー装置４００は非作動状態にされるため、電池のパワーが節約される。
【００８１】
コンピューターハウジング４０５は、再充電可能電池４５０を充電するために、図１９に示す電池充電ユニット４８０に結合するように構成されている。コンピューターハウジング４０５は、再充電可能電池４５０に結合された図１２、１５、１６、１７に示す充電用接点４８５を有する。充電用接点４８５は、真鍮、金またはステンレス鋼のような材料で作られており、アームバンドセンサー装置４００を電池充電ユニット４８０内に配置すると、そのユニットに設けた電気接点（図示せず）と電気的に結合されるように構成されている。電池充電ユニット４８０に設けられた電気接点は、電池充電ユニット４８０内の充電回路４８１ａに結合されている。この構成では、充電回路４８１ａは、電池充電ユニット４８０に接続されているか接続可能な適当なプラグを含む配線手段によるなどして壁の差込口に結合される。あるいは、電気接点４８０は、電池充電ユニット４８０に接続されているか接続可能な、電池充電ユニット４８０の外側の充電回路４８１ｂに結合される配線に結合可能である。この構成における配線は、従来の壁の差込口に差し込むことのできるプラグ（図示せず）を含む。
【００８２】
電池充電ユニット４８０の内部には、図２０に示すように、コンピューターハウジング４０５に設けたＲＦトランシーバー５６５から信号を受け、またそのトランシーバーへ信号を送るＲＦトランシーバー４８３が設けられている。ＲＦトランシーバー４８３は、例えば、適当なケーブルにより、図１に示すパソコン３５のような装置のＲＦ２３２ポートまたはＵＳＢポートのようなシリアルポートに結合するように構成されている。従って、ＲＦトランシーバー４８３及びＲＦトランシーバー５６５により、アームバンドセンサー装置４００からデータをアップロードするか、またはセンサー装置へデータをダウンロードすることができる。図１９及び２０にはＲＦトランシーバー４８３と５６５とを示すが、赤外線トランシーバーのような他の形式の無線トランシーバーを用いることが可能である。あるいは、コンピューターハウジング４０５に、アームバンドセンサー装置４００を電池充電ユニット４８０内に配置すると、そのユニット内の別の電気接点（図示せず）と係合して電気的に結合される別の電気接点（図示せず）を設けてもよい。コンピューターハウジング４０５のこれら別の電気接点は処理ユニット４９０に結合され、電池充電ユニット４８０内の別の電気接点は適当なケーブルに結合され、この適当なケーブルはパソコン３５のような装置のＲＦ２３２ポートまたはＵＳＢポートのようなシリアルポートに結合される。この構成は、物理的接続方式によりアームバンドセンサー装置４００からデータをアップロードし、またその装置へデータをダウンロードする別の方法を提供する。
【００８３】
図２０は、アームバンドセンサー装置４００のシステムアーキテクチャー、特に、ＰＣＢ４４５上かあるいはそれに結合された各コンポーネントを示す概略図である。
【００８４】
図１７に示すように、ＰＣＢ４４５は、マイクロプロセッサー、マイクロコントローラーまたは上述した機能を有する他の任意の処理装置でよい処理ユニット４９０を有する。処理ユニット４９０は、図２に示すマイクロプロセッサー２０に関連して述べた機能の全てを提供する。処理ユニット４９０の適当な例として、イリノイ州シャウンバーグのモトローラ社により販売されるDragonball EZがある。ＰＣＢ４４５はまた、二軸加速度計４９５を有し、その適当な例として、マサチュセッツ州ノーウッドのアナログデバイシズインコーポレイテッドにより販売される加速度計モデルADZL210がある。二軸加速度計４９５は、アームバンドセンサー装置４００を着用するとその感知軸がＰＣＢ４４５の縦軸、従って、着用者の腕の縦軸から実質的に４５度に等しい角度だけずれるような角度に装着するのが好ましい。着用者の腕の縦軸は、着用者の肩から肘への直線により画定される軸のことである。二軸加速度計４９５の出力信号は、バッファ５００を通過してアナログ−デジタルコンバーター５０５へ入力された後、処理ユニット４９０へ結合される。ＧＳＲセンサー４６５は、ＰＣＢ４４５上の増幅器５１０に結合されている。増幅器５１０は増幅及びローパスフィルター機能を有するが、その適当な例として、マサチュセッツ州ノーウッドのアナログデバイシズインコーポレイテッドにより販売される増幅器モデルAD8544がある。増幅器５１０により増幅されフィルタリングを施された信号出力は、さらに増幅されてバイアス電圧を取り除くために増幅／オフセット回路５１５へ入力され、またフィルター／コンディショニング回路５２０へ入力される。これらの回路５１５及び５２０はそれぞれ、アナログ−デジタルコンバーター５０５に結合されている。熱束センサー４６０は、アリゾナ州ツーソンのburr-Brown Corporationにより販売される増幅器モデルINAのような差動入力増幅器５２５に結合され、その結果得られる増幅済み信号はフィルター回路５３０、バッファ５３５及び増幅器５４０を通過した後、アナログ−デジタルコンバーター５０５へ送られる。増幅器５４０はさらに増幅し、ローパスフィルタリングを施すように構成されており、その適当な例として、マサチュセッツ州ノーウッドのアナログデバイシズインコーポレイテッドにより販売される増幅器モデルAD8544がある。ＰＣＢ４４５は、再充電可能電池４５０の残りの電力レベルをモニターする電池モニター５４５を備えている。電池モニター５４５は、平均電池電圧を与えるローパスフィルターを備えた分圧器より成るのが好ましい。ユーザーがボタン４７０を電池レベルをリクエストする態様で押すと、処理ユニット４９０は電池モニター５４５の出力をチェックし、その指示を、好ましくはＬＥＤ４７５を介して、しかしながら振動モーター４５５またはリンガー５７５も介して、ユーザーへ提供する。ＬＣＤも使用可能である。
【００８５】
ＰＣＢ４４５は、二軸加速度計４９５の代わりに、またはそれに加えて、三軸加速度計５５０を備えてもよい。三軸加速度計の加速度計は、信号を処理ユニット４９０へ出力する。三軸加速度計の適当な例として、アリゾナ州スコットデイルのI.M. Systems, Inc.により販売されるμPAMがある。三軸加速度計５５０は、二軸加速度計４９５に関連して説明した態様で傾斜しているのが好ましい。
【００８６】
ＰＣＢ４４５は、処理ユニット４９０に結合されたＲＦ受信機５５５も備えている。ＲＦ受信機５５５は、アームバンドセンサー装置４００を着用する人が着用するかその近くに位置する、無線装置５５８として図２０に示すような無線通信が可能な別の装置により出力される信号を受信するために使用される。本明細書で「近くに位置する」とは、無線装置５５８の伝送範囲内という意味である。例えば、無線装置５５８は、フィンランドのOuluのPolar Electro社により販売される製品Tempoのような胸に装着する心拍数モニターのようなモニターである。かかる心拍数モニターを用いると、着用者の心拍数を示すデータをアームバンドセンサー装置４００により収集することが可能である。アンテナ５６０及びＲＦトランシーバー５６５は処理ユニット４９０に結合され、中央モニターユニット３０へデータをアップロードするかまたは中央モニターユニット３０からデータをダウンロードするために設けられている。ＲＦトランシーバー５６５及びＲＦ受信機５５５は、例えば無線通信プロトコルとしてブルーツース技術を利用するものである。また、赤外線通信のような他の形式の無線通信方式を用いることも可能である。
【００８７】
無線でデータをアームバンドセンサー装置４００からアップロードしたり該装置へダウンロードしたりするためにＲＦトランシーバー５６５を使用できるということは、物理的接続方式では必須条件であるアームバンドセンサー装置４００を取り外すことなくこれらの機能を実行できるため有利である。例えば、アームバンドセンサー装置４００をユーザーの衣服の下に着用する場合、データのアップロード及び／またはダウンロードを行う前にアームバンドセンサー装置４００を取り外す必要があるとすると、ユーザーの不便さが増す。さらに、アームバンドセンサー装置４００を着用すると、ユーザーの皮膚及びその下の血管に影響が及んでそれらに関する測定値に何らかの影響が出ることがある。定常状態の、一貫した正確な測定値が得られるようになる前に或る期間、ユーザーがアームバンドセンサー装置４００を着用するようにする必要があるであろう。アームバンドセンサー装置４００に通信能力を搭載すると、確立された定常平衡状態を乱すことなくデータをアップロード及び／またはダウンロードすることが可能である。例えば、アームバンドセンサー装置４００のサンプリング特性を制御する処理ユニット４９０のプログラミングデータを、定常平衡状態を乱すことなくアームバンドセンサー装置４００にダウンロードすることができる。
【００８８】
さらに、アンテナ５６０とＲＦトランシーバー５６５とにより、アームバンドセンサー装置４００は無線通信能力を有する他の装置との間で無線通信することができる。即ち、かかる装置との間で情報の送受信が可能となる。これらの装置には、例えば、アームバンドセンサー装置４００により人体に植え込まれる装置が含まれるが、それらの装置には、植え込み可能な心臓ペースメイカー、例えば、Northridge, CaliforniaのMiniMed Inc.から市販される植え込み型インシュリンポンプMiniMed 2007のようなインシュリン供給装置、アームバンドセンサー装置４００を用いる人の身体に着用する装置、または電子スケール、血圧モニター、グルコースモニター、コレステロールモニターまたは他のアームバンドセンサー装置４００のような任意特定の時点においてアームバンドセンサー装置４００を使用する人の近くに配置される装置が含まれる。この双方向無線通信能力により、アームバンドセンサー装置４００は、かかる装置を作動または非作動状態にする情報またはかかる装置を特定の態様で作動させるようにプログラムする情報を送信するように構成可能である。例えば、アームバンドセンサー装置４００が、トレッドミルのような運動器具の一部を作動させ、また、アームバンドセンサー装置４００のユーザーが決定するか所望するもしくはオプションとして使用するある特定のパラメータでかかる装置の作動をプログラムすることが可能である。別の例として、アームバンドセンサー装置４００は、着用者の検知される皮膚温度に基づき家のコンピュータ制御のサーモスタットを調整するかまたは着用者が眠りに落ちたと判定された時にコンピュータ制御の照明を消したり、テレビジョンまたはステレオを切ったりするように構成することができる。
【００８９】
振動モーター４５５は、振動ドライバー５７０を介して処理ユニット４９０に結合され、着用者に触覚フィードバックを与える。同様に、適当な例として、オハイオ州ディトンのProjects Unlimited, Inc.により販売されるモデルSMT916Aのようなリンガー５７５は、適当な例として、イリノイ州シャアンバーグのモトローラ社により販売されるモデルMMBTA14 CTIのダーリントントランジスタドライバーのようなドライバーを介して処理ユニット４９０に結合され、可聴フィードバックを着用者に与える。フィードバックは、儀式または警告メッセージ若しくは例えばトレーニング中の着用者の燃焼カロリーがあるレベルに到達する時のような、しきい値もしくは事象により始動されるメッセージが含まれる。
【００９０】
ＰＣＢ４４５上に設けられ処理ユニット４９０に結合されるものとして、ノンラッチスイッチ５８５がある。このノンラッチスイッチ５８５は、ノンラッチスイッチ５８５を作動するボタン４７０に結合されている。着用者へ種々のタイプのフィードバック情報を与えるためのＬＥＤ４７５は、ＬＥＤラッチ／ドライバー５９０で処理ユニット４９０に結合されている。
【００９１】
ＰＣＢ４４５上の発振器５９５は、処理ユニット４９０へシステムクロックを供給する。コンピューターハウジング４０５の側部のピンホールを介してアクセス可能なリセット回路６００は、処理ユニット４９０に結合され、処理ユニット４９０を標準の最初の設定にリセットするのを可能にする。
【００９２】
アームバンドセンサー装置４００の主要電源である再充電可能電池４５０は、電圧調整器６０５を介して処理ユニット４９０に結合されている。最後に、アームバンドセンサー装置４００に対してメモリー機能を提供するのは、アームバンドセンサー装置４００の着用者に関するデータを記憶するＳＲＡＭ６１０と、プログラム及び構成データを記憶するフラッシュメモリー６１５とであり、これらはＰＣＢ４４５上に設けられている。ＳＲＡＭ６１０及びフラッシュメモリー６１５は処理ユニット４９０に結合され、それぞれが少なくとも５１２Ｋの記憶容量を有するのが好ましい。
【００９３】
アームバンドセンサー装置４００を製造し組み立てるに当たり、コンピューターハウジング４０５の上部４３５を最初に通常の成形プロセスのような方法で形成し、次いで、可撓性ウィング本体４１０を上部４３５の上にオーバーモールドするのが好ましい。即ち、上部４３５を、適当な形状の型、即ち、上部４３５を入れると残りの空洞部が可撓性ウィング本体４１０の所望の形状になる型に入れ、可撓性ウィング本体４１０を上部４３５上で成型する。その結果、可撓性ウィング本体４１０と上部４３５とは互いに結合または接合されて、単一のユニットを形成する。あるいは、コンピューターハウジング４０５の上部４３５と可撓性ウィング本体４１０とを単一の型で成型するなどして、単一のユニットを形成するように一緒に形成してもよい。いかなる方法で形成するとしても、単一のユニットをひっくり返して上部４３５の裏側を上受け向きにし、コンピューターハウジング４０５の内容物を上部４３５内に配置して、上部４３５及び下部４４０を互いに固着することが可能である。さらに別のやり方として、可撓性ウィング本体４１０を従来の成型プロセスのような方法で別個に形成し、コンピューターハウジング４０５、特にその上部４３５を、接着剤、スナップ結合方式または螺着方式などの幾つかの公知の方法のうちの１つで可撓性ウィング本体４１２に固着することができる。その後、コンピューターハウジング４０５の残部を上述したように組み立てる。上部４３５を可撓性ウィング本体４１２に固着した後コンピューターハウジング４０５の残りの部分を組み立てるのではなくて、コンピューターハウジング４０５を最初に組み立て、その後可撓性ウィング本体４１０に固着してもよいことがわかるであろう。
【００９４】
図２１は、本発明の別の実施例を示すブロック図である。この別の実施例は、センサー装置１０及びセンサー装置４００との関連で上述した種々のデータを収集及び／または発生し、中央モニターユニット３０のような遠隔の装置と相互作用せずにユーザーへ分析状態データを提供できるという意味で独立の装置として機能するスタンドアロンセンサー装置７００を有する。スタンドアロンセンサー装置７００は、その装置のメモリーに記憶され必要に応じてアクセスされる、ユーザーの種々の生理学的及び／またはコンテキストパラメータを示すデータ、そのデータから導出されるデータ及びユーザー入力データに基づき分析状態データを発生するに必要なユーティリティー及びアルゴリズムを含むようにプログラミング及び／または他の態様に構成されたプロセッサを含む。スタンドアロンセンサー装置７００は、図１及び２に示すセンサー装置１０を備えているが、それにはマイクロプロセッサー２０及びメモリー２２もしくは図１０−１２に示すアームバンドセンサー装置４００が設けられ、このセンサー装置は処理ユニット４９０及びＳＲＡＭ６１０を有する。
【００９５】
図２１に略示するように、データは種々の態様でスタンドアロンセンサー装置７００に入力される。スタンドアロンセンサー装置７００は、ユーザーの種々の生理学的データを示すデータの収集を容易にするための上述した１またはそれ以上の生理学的センサー７０５を備えている。スタンドアロンセンサー装置７００はまた、ユーザーの種々のコンテキストパラメータを示すデータの収集を容易にするための上述した１またはそれ以上のコンテキストセンサー７１０も備えている。参照番号７１５で示すように、スタンドアロンセンサー装置７００は、ユーザーによるデータの手動入力が可能なように構成されている。例えば、スタンドアロンセンサー装置７００はアームバンドセンサー装置４００のボタン４７０のようなデータ入力ボタンを備えているが、ユーザーは、このボタンによりユーザーの上述した種々の生活活動情報または上述した合図または警報の設定のようなスタンドアロンセンサー装置７００の作動及び／または制御に関する情報を手動入力することができる。この例では、着用者はボタン４７０を作動するだけで食事のような事象を記録したりその事象の時刻を表示できるが、その後でデータを入力してその時刻表示に意味を付与する必要がある。あるいは、ボタン４７０を、１回、連続して２回、連続して３回などのようにある特定のシーケンスで作動させるとそれぞれ異なる特定の意味が付与されるように予めセットすることができる。着用者は、関連のデータを入力するためには、このような予め設定された作動シーケンスのメニューまたはガイドに従わなければならない。あるいは、スタンドアロンセンサー装置７００は、キーパッド、タッチスクリーン、マイクロホンまたは遠隔制御装置（例えば、腕時計に組み込まれた遠隔制御装置）のような情報を手動入力するためのより精巧な手段を搭載可能である。マイクロホンの場合、入力音声を利用可能なデータに変換するためのよく知られた音声認識ソフトウェアなどをスタンドアロンセンサー装置７００のプロセッサに搭載することになるであろう。
【００９６】
参照番号７２０及び７２５で示すように、種々の生理学的及び／またはコンテキストパラメータを示すデータ及びそれから導出されるデータより成る情報は、他の装置との相互作用によりスタンドアロンセンサー装置７００へ入力される。さらに、ハンドシェイクデータまたは種々の生理学的及び／またはコンテキストパラメータを示すデータ及びそれらから導出されるデータのような情報は、スタンドアロンセンサー装置７００からかかる他の装置へ出力される。一実施例によると、その相互作用は、スタンドアロンセンサー装置７００と他の無線通信可能な装置との間における、図２０に関連して図示説明したワイヤレストランシーバー５６５のようなスタンドアロンセンサー装置７００に設けられるワイヤレストランシーバーを介する無線通信の形をとる。装置間の相互作用は、参照番号７２０で示すように、スタンドアロンセンサー装置７００のユーザーが意図的にその相互作用を始動させるという意味で明示的なものである。例えば、ユーザーはスケール上のボタンを作動してデータをスタンドアロンセンサー装置７００へダウンロードすることができる。装置間の相互作用はまた、参照番号７２５で示すように、スタンドアロンセンサー装置７００のユーザーが意図的にではなくその相互作用を始動させるという意味で隠れた見えないものである。例えば、ジムには、ユーザーがジムに入館及び退館する時に感知装置７００に信号を無線送信してユーザーがトレーニングを開始または終了するときの時刻を表示するセンサーが設置されている。
【００９７】
図２１に略示するように、情報はスタンドアロンセンサー装置７００から多数の態様で出力または送信される。かかる情報には、種々の生理学的パラメータ及び／またはコンテキストパラメータを示すデータ、そのデータから導出されるデータ、ユーザーが手動入力するデータ、分析状態データまたはそれらの任意の組み合わせが含まれる。参照番号７３０、７３５及び７４０で示すように、情報はスピーカーのような装置により一連のトーンまたはビープ音もしくは録音メッセージのような可聴様式で、また１またはそれ以上のＬＥＤのような可視様式で、または振動によるような可触様式で出力または送信することが可能である。例えば、スタンドアロンセンサー装置７００は、特定の時点に食事または運動をするための合図として、またはトレーニング中に燃焼カロリー数のような目標に到達したりあるいはその状態が検知されたりした時に、音声を出力したり、ＬＥＤを点灯したり、何かを振動させたりする。あるいは、スタンドアロンセンサー装置７００に、市販のセルラー電話、ページャ及びパーソナルデジタルアシスタントで見られるようなＬＣＤのような精巧な可視出力手段を設けてもよい。ＬＣＤまたは同様な装置と、その拡張可視出力機能により、スタンドアロンセンサー装置７００は図５乃至１１に関連して説明した情報の一部または全部を同じまたは同様な態様で出力または送信するように構成することができる。例えば、スタンドアロンセンサー装置７００は健康指数の形の分析状態データをユーザーに提供することができる。さらに別の例として、スタンドアロンセンサー装置７００は、有線接続７５５または無線接続７６０により、パソコン、セルラー電話、ページャ、パーソナルデジタルアシスタント、別のスタンドアロンセンサー装置７００またはプロセッサを備えた他の任意の装置のようなコンピュータ装置７５０に結合することができる。例えば、図１９に示すバッテリー再充電ユニット４８０を用いて有線接続７５５または無線接続７６０を構成することが可能である。この構成によると、コンピュータ装置のディスプレイによりスタンドアロンセンサー装置７００からの情報を可視出力することができる。コンピュータ装置７５０はＬＣＤのような精巧な出力手段を備えているため、健康指数のような図５乃至１１に関連して説明した情報の一部または全部を同じまたは同様なフォーマットでユーザーに出力または送信できることがわかる。
【００９８】
また、コンピュータ装置７５０は、家庭の照明またはサーモスタットのような他の装置を、着用者が眠りに落ちるとか、着用者の皮膚温度がある特定のレベルに到達するというような、スタンドアロンセンサー装置７００により出力されるデータに基づき制御することができる。換言すれば、スタンドアロンセンサー装置７００、特にそのプロセッサは、スタンドアロンセンサー装置７００により１またはそれ以上の生理学的及び／またはコンテキスト状態が検知されるとコンピュータ装置７５０がある事象を始動するように構成可能である。あるいは、スタンドアロンセンサー装置７００は、他のコンピュータ装置７５０から受信する情報に基づきある事象をコンピュータ装置７５０が始動するように構成することができる。
【００９９】
スタンドアロンセンサー装置７００は、ビデオゲームのような対話式電子メディア装置、またはＤＶＤあるいはデジタル記録された映画を再生するディスプレイ装置のような非対話式電子メディア装置と相互作用し、それに影響を与えるようにすることができる。例えば、スタンドアロンセンサー装置７００は、着用者の生理学的状態に関する情報をビデオゲームに送信し、このビデオゲームが困難性レベルのようなそのゲームの特性を調整するようにすることができる。別の例として、スタンドアロンセンサー装置７００は、着用者の生理学的状態に関する情報をデジタル記録映画を再生する装置に送り、この装置が映画の結末のような特性を調整するようにできる。
【０１００】
さらに、スタンドアロンセンサー装置７００は、建物のような空間内の位置のようなスタンドアロンセンサー装置７００の地理的位置をコンピュータ装置７５０が検知可能にする、超音波または無線周波数識別タブのような位置感知装置７６５を搭載してもよい。一実施例において、位置を指示すると、好ましくは、皮膚温度のような着用者の１またはそれ以上の生理学的状態がスタンドアロンセンサー装置７００により検知されると共に、コンピュータ装置７５０が、指示された場所に相当する部屋の温度を下げるような事象を始動する。別の実施例において、位置を指示すると、着用者の皮膚温度がある特定のレベルを超えるような１またはそれ以上の生理学的状態がスタンドアロンセンサー装置７００により検知された時に、コンピュータ装置７５０が指示された場所に相当する部屋の温度を下げるような事象を始動する。さらに、パソコンのマウス及びキーボード、セルラー電話またはページャのキーパッドまたはパーソナルデジタルアシスタントのタッチスクリーンのようなコンピュータ装置の入力手段により、スタンドアロンセンサー装置７００に情報を手動入力することが可能である。
【０１０１】
種々のモードの出力を組み合わせて、ユーザーに種々のタイプまたはレベルの情報を提供することができる。例えば、スタンドアロンセンサー装置７００を個人が運動中に着用することが可能であり、ＬＥＤまたはトーンによりある特定の燃焼カロリー数の目標に到達したことを知らせることができる。その後、ユーザーは、運動終了後にスタンドアロンセンサー装置７００からセルラー電話のようなコンピュータ装置７５０へ別のデータを無線送信することにより、心拍数及び／または呼吸数のようなデータを経時的にチェックすることができる。
【０１０２】
本発明のさらに別の実施例として、スタンドアロンセンサー装置７００に設けたプロセッサを導出データを発生させるように、また分析状態データの作成に必要なユーティリティー及びアルゴリズムを含むようにプログラム及び／または構成するのではなくて、コンピュータ装置７５０をそのようにプログラムすることができる。この実施例では、スタンドアロンセンサー装置７００は、ユーザーの種々の生理学的及び／またはコンテキストパラメータを示すデータ、ユーザーが手動入力するデータ及び／または７２０及び７２５で示す装置間の相互作用により入力されるデータを収集しそして／または発生するが、これら全てのデータはスタンドアロンセンサー装置７００に設けたメモリに記憶される。その後、このデータはコンピュータ装置７５０へ定期的にアップロードされ、コンピュータ装置は導出データ及び／または分析状態データを発生する。あるいは、スタンドアロンセンサー装置７００のプロセッサを導出データを発生するようにプログラムし、コンピュータ装置７５０を１またはそれ以上の生理学的及び／またはコンテキストパラメータを示すデータ、それから導出されるデータ、ユーザーにより手動入力されるデータ及び／または７２０及び７２５に示す装置間の相互作用により入力されるデータに基づき分析状態データを作成するに必要なユーティリティー及びアルゴリズムを含むようにプログラムすることができる。さらに別の例として、スタンドアロンセンサー装置７００のプロセッサを１またはそれ以上の生理学的及び／またはコンテキストパラメータを示すデータ、それから導出されるデータ、ユーザーにより手動入力されるデータ及び／または７２０及び７２５に示す装置間の相互作用により入力されるデータに基づき分析状態データを作成するに必要なユーティリティー及びアルゴリズムを含むようにプログラムまたは他の方法で構成し、コンピュータ装置７５０を導出データを発生するようにプログラムすることができる。何れの例でも、ユーザーは、その後、ユーザーの生理学的及び／またはコンテキストパラメータを示すデータ、それから導出されるデータ、ユーザーにより手動入力されるデータ、７２０及び７２５に示す装置間の相互作用により入力されるデータ及び分析状態データのうち任意のものまたは全てを、プログラムされたコンピュータ装置７５０またはデータがダウンロードされる別のコンピュータ装置７５０の出力手段により見ることができる。後者の例では、分析状態データを除く全てのデータが上述したようにスタンドアロンセンサー装置７００により出力される。
【０１０３】
これら変形例のコンピュータ装置７５０は、中央モニターユニット３０等と通信できるようにインターネットのような電子ネットワークに接続することができる。かかる構成により、導出データ及び／または分析状態データの発生を可能にするコンピュータ装置７５０のプログラムは、電子ネットワークを介して関連のデータをコンピュータ装置７５０にダウンロードすることにより変更または交換することが可能である。
【０１０４】
さらに別の例として、コンピュータ装置７５０に特注のプラグインを設けることにより、よく知られたブラウザープログラムによるデータ表示機能の提供が可能になる。この実施例では、スタンドアロンセンサー装置７００は、ユーザーの種々の生理学的及び／またはコンテキストパラメータを示すデータ、導出データ、ユーザーにより入力されるデータ、７２０及び７２５に示す装置間の相互作用により入力されるデータ及び／またはそれらに基づく分析状態データを収集し、発生して、このデータをコンピュータ装置７５０へアップロードする。その後、コンピュータ装置７５０に設けたプラグインは、ユーザーがコンピュータ装置７５０に設けたブラウザーにより見ることができるデータに基づき適当な表示ページを発生させる。このプラグインは、インターネットのような電子ネットワークを介して中央モニターユニット３０のようなソースから変更／更新することが可能である。
【０１０５】
本明細書に用いた用語及び表現は、説明の目的のためであって限定の意図はない。かかる用語及び表現の使用に当たり、本願に示す特徴部分の均等物を除外する意図はなく、本発明の範囲から逸脱することなく種々の変形例及び設計変更が可能であることを理解されたい。本発明の特定の実施例を説明したが、本発明は図示説明した実施例だけに限定されず、多数の変形及び設計変更が可能であることを理解されたい。
【図面の簡単な説明】
【０１０６】
【図１】本発明に従って電子ネットワークを介して生理学的データ及びライフスタイルをモニターするシステムの実施例を示す。
【図２】図１のセンサー装置の一実施例を示すブロック図である。
【図３】図１の中央モニターユニットの一実施例を示すブロック図である。
【図４】図１の中央モニターユニットの別の実施例を示すブロック図である。
【図５】本発明の一局面であるヘルスマネジャーのウェブページの好ましい実施例を示す。
【図６】本発明の一局面である栄養ウェブページの好ましい実施例を示す。
【図７】本発明の一局面である活動レベルウェブページの好ましい実施例を示す。
【図８】本発明の一局面である精神集中ウェブページの好ましい実施例を示す。
【図９】本発明の一局面である睡眠ウェブページの好ましい実施例を示す。
【図１０】本発明の一局面である毎日の生活ウェブページの好ましい実施例を示す。
【図１１】本発明の一局面である健康度ウェブページの好ましい実施例を示す。
【図１２】図１に示すセンサー装置の特定実施例の正面図である。
【図１３】図１に示すセンサー装置の特定実施例の裏面図である。
【図１４】図１に示すセンサー装置の特定実施例の側面図である。
【図１５】図１に示すセンサー装置の特定実施例の底面図である。
【図１６】図１に示すセンサー装置の特定実施例の正面斜視図である。
【図１７】図１に示すセンサー装置の特定実施例の正面斜視図である。
【図１８】図１に示すセンサー装置の特定実施例の展開側面斜視図である。
【図１９】図１２乃至１８に示すセンサー装置の側面図である。
【図２０】図１２乃至１８に示すセンサー装置の一部を形成する、プリント回路板に装着されるか結合される全てのコンポーネントのブロック図である。
【図２１】本発明の別の実施例による健康及び壮健状態をモニターする装置のブロック図である。
【図１】
2004538066.tif 000005
【図２】
2004538066.tif 000006
【図３】
2004538066.tif 000007
【図４】
2004538066.tif 000008
【図５】
2004538066.tif 000009
【図６】
2004538066.tif 000010
【図７】
2004538066.tif 000011
【図８】
2004538066.tif 000012
【図９】
2004538066.tif 000013
【図１０】
2004538066.tif 000014
【図１１】
2004538066.tif 000015
【図１９】
2004538066.tif 000016
【図２０】
2004538066.tif 000017
【図２１】
2004538066.tif 000018
【国際公開パンフレット】
2004538066.tif 000019
2004538066.tif 000020
2004538066.tif 000021
2004538066.tif 000022
2004538066.tif 000023
2004538066.tif 000024
2004538066.tif 000025
2004538066.tif 000026
2004538066.tif 000027
2004538066.tif 000028
2004538066.tif 000029
2004538066.tif 000030
2004538066.tif 000031
2004538066.tif 000032
2004538066.tif 000033
2004538066.tif 000034
2004538066.tif 000035
2004538066.tif 000036
2004538066.tif 000037
2004538066.tif 000038
2004538066.tif 000039
2004538066.tif 000040
2004538066.tif 000041
2004538066.tif 000042
2004538066.tif 000043
2004538066.tif 000044
2004538066.tif 000045
2004538066.tif 000046
2004538066.tif 000047
2004538066.tif 000048
2004538066.tif 000049
2004538066.tif 000050
2004538066.tif 000051
2004538066.tif 000052
2004538066.tif 000053
2004538066.tif 000054
2004538066.tif 000055
2004538066.tif 000056
2004538066.tif 000057
2004538066.tif 000058
2004538066.tif 000059
2004538066.tif 000060
2004538066.tif 000061
2004538066.tif 000062
2004538066.tif 000063
2004538066.tif 000064
2004538066.tif 000065
2004538066.tif 000066
2004538066.tif 000067
2004538066.tif 000068
2004538066.tif 000069
2004538066.tif 000070
2004538066.tif 000071
2004538066.tif 000072
2004538066.tif 000073
2004538066.tif 000074
2004538066.tif 000075
2004538066.tif 000076
2004538066.tif 000077
2004538066.tif 000078
2004538066.tif 000079
2004538066.tif 000080
2004538066.tif 000081
2004538066.tif 000082
2004538066.tif 000083
2004538066.tif 000084
2004538066.tif 000085
2004538066.tif 000086
2004538066.tif 000087
2004538066.tif 000088
2004538066.tif 000089
2004538066.tif 000090
2004538066.tif 000091
2004538066.tif 000092
2004538066.tif 000093
2004538066.tif 000094
2004538066.tif 000095
2004538066.tif 000096
2004538066.tif 000097
2004538066.tif 000098
2004538066.tif 000099
2004538066.tif 000100
2004538066.tif 000101
2004538066.tif 000102
2004538066.tif 000103
2004538066.tif 000104
【国際公開パンフレット（コレクトバージョン）】
2004538066.tif 000105
2004538066.tif 000106
【国際調査報告】
2004538066.tif 000107
2004538066.tif 000108
2004538066.tif 000109